(57)【要約】【課題】効率的に通信を行うことができる端末装置、基地局装置、通信方法および集積回路に関する技術を提供すること。【解決手段】端末装置が、基地局装置から無線リソース制御（ＲＲＣ）接続再設定メッセージを受信する受信部と、無線リソース制御接続再設定メッセージに含まれるパラメータ設定に基づき、パラメータの設定を行う制御部を備え、パラメータ設定は、複数のセルグループ毎の、対象セルの識別子情報、サブキャリア間隔に関する設定、スケジューリングの最小単位の時間長に関する情報および／またはスロット長を示す情報を少なくとも含み、前記複数のセルグループに同一のセルが含まれる場合に、ＰＤＣＰ層のデータリカバリーを実行しない。【選択図】図７
2020031254.tif 000002
【特許請求の範囲】
【請求項１】
基地局装置とセルを介して通信する端末装置であって、
前記基地局装置から無線リソース制御（ＲＲＣ）接続再設定メッセージを受信する受信部と、
前記無線リソース制御接続再設定メッセージに含まれるパラメータ設定に基づき、パラメータの設定を行う制御部を備え、
前記パラメータ設定は、複数のセルグループ毎の、対象セルの識別子情報、サブキャリア間隔に関する設定、スケジューリングの最小単位の時間長に関する情報および／またはスロット長を示す情報を少なくとも含み、
前記複数のセルグループに同一のセルが含まれない場合に、ＰＤＣＰ層の再確立またはデータリカバリーを実行し、前記複数のセルグループに同一のセルが含まれる場合に、ＰＤＣＰ層のデータリカバリーを実行しない
端末装置。
【請求項２】
端末装置とセルを介して通信する基地局装置であって、
前記端末装置から無線アクセス能力の情報を受信する受信部と、
前記端末装置に無線リソース制御（ＲＲＣ）接続再設定メッセージを送信する送信部と、
前記無線リソース制御接続再設定メッセージに含まれるパラメータ設定を生成する制御部を備え、
前記パラメータ設定は、複数のセルグループ毎の、対象セルの識別子情報、サブキャリア間隔に関する設定、スケジューリングの最小単位の時間長に関する情報および／またはスロット長を示す情報を少なくとも含み、
前記無線アクセス能力の情報に基づき、前記複数のセルグループに同一のセルを含めることができるか否かを判断する
基地局装置。
【請求項３】
基地局装置とセルを介して通信する端末装置に適用される通信方法であって、
前記基地局装置から無線リソース制御（ＲＲＣ）接続再設定メッセージを受信するステップと、
前記無線リソース制御接続再設定メッセージに含まれるパラメータ設定に基づき、パラメータの設定を行うステップとを少なくとも含み、
前記パラメータ設定は、複数のセルグループ毎の、対象セルの識別子情報、サブキャリア間隔に関する設定、スケジューリングの最小単位の時間長に関する情報および／またはスロット長を示す情報を少なくとも含み、
前記複数のセルグループに同一のセルが含まれない場合に、ＰＤＣＰ層の再確立またはデータリカバリーを実行し、前記複数のセルグループに同一のセルが含まれる場合に、ＰＤＣＰ層のデータリカバリーを実行しない
ことを特徴とする通信方法。
【請求項４】
基地局装置とセルを介して通信する端末装置に実装される集積回路であって、
前記基地局装置から無線リソース制御（ＲＲＣ）接続再設定メッセージを受信する機能と、
前記無線リソース制御接続再設定メッセージに含まれるパラメータ設定に基づき、パラメータの設定を行う機能とを前記端末装置に対して発揮させ、
前記パラメータ設定は、複数のセルグループ毎の、対象セルの識別子情報、サブキャリア間隔に関する設定、スケジューリングの最小単位の時間長に関する情報および／またはスロット長を示す情報を少なくとも含み、
前記複数のセルグループに同一のセルが含まれない場合に、ＰＤＣＰ層の再確立または
データリカバリーを実行し、前記複数のセルグループに同一のセルが含まれる場合に、ＰＤＣＰ層のデータリカバリーを実行しない
ことを特徴とする集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Ｌｏｎｇ  Ｔｅｒｍ  Ｅｖｏｌｕｔｉｏｎ（ＬＴＥ：登録商標）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：ＥＵＴＲＡ」と称する。）が、第三世代パートナーシッププロジェクト（3ｒｄ  Ｇｅｎｅｒａｔｉｏｎ
Ｐａｒｔｎｅｒｓｈｉｐ  Ｐｒｏｊｅｃｔ：３ＧＰＰ）において検討されている。また、３ＧＰＰにおいて、第５世代のセルラーシステムに向けた無線アクセス方式および無線ネットワーク技術として、ＬＴＥの拡張技術であるＬＴＥ―Ａｄｖａｎｃｅｄ  Ｐｒｏおよび新しい無線アクセス技術であるＮＲ（Ｎｅｗ  Ｒａｄｉｏ  ｔｅｃｈｎｏｌｏｇｙ）の技術検討及び規格策定が行われている（非特許文献１）。
【０００３】
第５世代のセルラーシステムでは、高速・大容量伝送を実現するｅＭＢＢ（ｅｎｈａｎｃｅｄ  Ｍｏｂｉｌｅ  ＢｒｏａｄＢａｎｄ）、低遅延・高信頼通信を実現するＵＲＬＬＣ（Ｕｌｔｒａ―Ｒｅｌｉａｂｌｅ  ａｎｄ  Ｌｏｗ  Ｌａｔｅｎｃｙ  Ｃｏｍｍｕｎｉｃａｔｉｏｎ）、ＩｏＴ（Ｉｎｔｅｒｎｅｔ  ｏｆ  Ｔｈｉｎｇｓ）などマシン型デバイスが多数接続するｍＭＴＣ（ｍａｓｓｉｖｅ  Ｍａｃｈｉｎｅ  Ｔｙｐｅ  Ｃｏｍｍｕｎｉｃａｔｉｏｎ）の3つがサービスの想定シナリオとして要求されている。
【０００４】
またＮＲでは、異なる複数の物理パラメータ（例えばサブキャリア間隔）を用いて通信することが検討されており（非特許文献２）、端末装置は、異なる複数の物理パラメータのうちのいずれの物理パラメータを用いて基地局装置と通信するかを特定する必要がある。
【先行技術文献】
【非特許文献】
【０００５】
【非特許文献１】ＲＰ−１６１２１４，ＮＴＴ  ＤＯＣＯＭＯ，”Ｒｅｖｉｓｉｏｎ  ｏｆ  ＳＩ：  Ｓｔｕｄｙ  ｏｎ  Ｎｅｗ  Ｒａｄｉｏ  Ａｃｃｅｓｓ  Ｔｅｃｈｎｏｌｏｇｙ”，２０１６年6月
【非特許文献２】３ＧＰＰ  Ｒ１−１６６８７８  ｈｔｔｐ：／／ｗｗｗ．３ｇｐｐ．ｏｒｇ／ｆｔｐ／ｔｓｇ＿ｒａｎ／ＷＧ１＿ＲＬ１／ＴＳＧＲ１＿８６／Ｄｏｃｓ／Ｒ１−１６６８７８．ｚｉｐ
【非特許文献３】３ＧＰＰ  Ｒ２−１６８５３１  ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿９６／Ｄｏｃｓ／Ｒ２−１６８５３１．ｚｉｐ
【発明の概要】
【発明が解決しようとする課題】
【０００６】
ＮＲでは、端末の能力とセルでサポートされる物理パラメータに基づき、基地局装置と端末装置とが複数の物理パラメータ（ヌメロロジー）を用いて通信することが検討されている（非特許文献３）。しかしながら、必要なパラメータの通知方法や適用方法についての検討が行われておらず、基地局装置と端末装置との通信を、効率的に行うことができないという課題があった。
【０００７】
本発明の一態様は、上記した事情に鑑みてなされたもので、基地局装置との通信を効率
的に行うことができる端末装置、該端末装置と通信する基地局装置、該端末装置に用いられる通信方法、該基地局装置に用いられる通信方法、該端末装置に実装される集積回路、該基地局装置に実装される集積回路を提供することを目的の一つとする。
【課題を解決するための手段】
【０００８】
（１）上記の目的を達成するために、本発明の一態様は、以下のような手段を講じた。すなわち、本発明の第１の態様は、基地局装置とセルを介して通信する端末装置であって、前記基地局装置から無線リソース制御（ＲＲＣ）接続再設定メッセージを受信する受信部と、前記無線リソース制御接続再設定メッセージに含まれるパラメータ設定に基づき、パラメータの設定を行う制御部を備え、前記パラメータ設定は、複数のセルグループ毎の、対象セルの識別子情報、サブキャリア間隔に関する設定、スケジューリングの最小単位の時間長に関する情報および／またはスロット長を示す情報を少なくとも含み、前記複数のセルグループに同一のセルが含まれない場合に、ＰＤＣＰ層の再確立またはデータリカバリーを実行し、前記複数のセルグループに同一のセルが含まれる場合に、ＰＤＣＰ層のデータリカバリーを実行しない。
【０００９】
（２）本発明の第２の態様は、端末装置とセルを介して通信する基地局装置であって、前記端末装置から無線アクセス能力の情報を受信する受信部と、前記端末装置に無線リソース制御（ＲＲＣ）接続再設定メッセージを送信する送信部と、前記無線リソース制御接続再設定メッセージに含まれるパラメータ設定を生成する制御部を備え、前記パラメータ設定は、複数のセルグループ毎の、対象セルの識別子情報、サブキャリア間隔に関する設定、スケジューリングの最小単位の時間長に関する情報および／またはスロット長を示す情報を少なくとも含み、前記無線アクセス能力の情報に基づき、前記複数のセルグループに同一のセルを含めることができるか否かを判断する。
【００１０】
（３）本発明の第３の態様は、基地局装置とセルを介して通信する端末装置に適用される通信方法であって、前記基地局装置から無線リソース制御（ＲＲＣ）接続再設定メッセージを受信するステップと、前記無線リソース制御接続再設定メッセージに含まれるパラメータ設定に基づき、パラメータの設定を行うステップとを少なくとも含み、前記パラメータ設定は、複数のセルグループ毎の、対象セルの識別子情報、サブキャリア間隔に関する設定、スケジューリングの最小単位の時間長に関する情報および／またはスロット長を示す情報を少なくとも含み、前記複数のセルグループに同一のセルが含まれない場合に、ＰＤＣＰ層の再確立またはデータリカバリーを実行し、前記複数のセルグループに同一のセルが含まれる場合に、ＰＤＣＰ層のデータリカバリーを実行しない。
【００１１】
（４）本発明の第４の態様は、基地局装置とセルを介して通信する端末装置に実装される集積回路であって、前記基地局装置から無線リソース制御（ＲＲＣ）接続再設定メッセージを受信する機能と、前記無線リソース制御接続再設定メッセージに含まれるパラメータ設定に基づき、パラメータの設定を行う機能とを前記端末装置に対して発揮させ、前記パラメータ設定は、複数のセルグループ毎の、対象セルの識別子情報、サブキャリア間隔に関する設定、スケジューリングの最小単位の時間長に関する情報および／またはスロット長を示す情報を少なくとも含み、前記複数のセルグループに同一のセルが含まれない場合に、ＰＤＣＰ層の再確立またはデータリカバリーを実行し、前記複数のセルグループに同一のセルが含まれる場合に、ＰＤＣＰ層のデータリカバリーを実行しない。
【発明の効果】
【００１２】
本発明の一態様によれば、端末装置および基地局装置は、効率的に通信を行うことができる。
【図面の簡単な説明】
【００１３】
【図１】本実施形態の無線通信システムの概念図である。
【図２】本発明の実施形態に係る端末装置の概略構成の一例を示すブロック図である。
【図３】本発明の実施形態に係る基地局装置の概略構成の一例を示すブロック図である。
【図４】本発明の実施形態に係る下りリンクスロットの概略構成の一例を示す図である。
【図５】本発明の実施形態に係るサブフレーム、スロット、ミニスロットの時間領域における関係を示した図である。
【図６】本発明の実施形態に係るスロットまたはサブフレームの一例を示す図である。
【図７】本発明の実施形態に係るＳＣＧ設定手順の一例を示す図である。
【図８】本発明の実施形態に係るＲＲＣ接続再設定メッセージの一例を示す図である。
【図９】本発明の実施形態に係るＲＲＣ接続再設定メッセージに含まれる要素の一例を示す図である。
【図１０】本発明の実施形態に係るＲＲＣ接続再設定メッセージに含まれる要素の一例を示す図である。
【図１１】本発明の実施形態に係るＲＲＣ接続再設定メッセージに含まれる要素の一例を示す図である。
【図１２】本発明の実施形態に係るＲＲＣ接続再設定メッセージに含まれる要素の一例を示す図である。
【図１３】本発明の実施形態に係るＳＣＧ設定手順の一例を示す図である。
【図１４】本発明の実施形態に係るＲＲＣ接続再設定メッセージに含まれる要素の一例を示す図である。
【図１５】本発明の実施形態に係るＲＲＣ接続再設定メッセージに含まれる要素の一例を示す図である。
【図１６】本発明の実施形態に係るＲＲＣ接続再設定メッセージに含まれる要素の一例を示す図である。
【発明を実施するための形態】
【００１４】
以下、本発明の実施形態について説明する。
【００１５】
本実施形態の無線通信システム、および無線ネットワークについて説明する。
【００１６】
ＬＴＥ（およびＬＴＥ−Ａ  Ｐｒｏ）とＮＲは、異なるＲＡＴ（Ｒａｄｉｏ  Ａｃｃｅｓｓ  Ｔｅｃｈｎｏｌｏｇｙ）として定義されてもよい。ＮＲは、ＬＴＥに含まれる技術として定義されてもよい。ＬＴＥは、ＮＲに含まれる技術として定義されてもよい。本実施形態はＮＲ、ＬＴＥおよび他のＲＡＴに適用されてよい。以下の説明では、ＬＴＥに関連する用語を用いて説明するが、他の用語を用いる他の技術において適用されてもよい。
【００１７】
図１は、本実施形態の無線通信システムの概念図である。図１において、無線通信システムは、端末装置２および基地局装置３を具備する。また、基地局装置３は、１または複数の送受信点４（ｔｒａｎｓｍｉｓｓｉｏｎ  ｒｅｃｅｐｔｉｏｎ  ｐｏｉｎｔ：ＴＲＰ）を具備してもよい。基地局装置３は、基地局装置３によって制御される通信可能範囲（通信エリア）を１つまたは複数のセルとして端末装置２をサーブしてもよい。また、基地局装置３は、１または複数の送受信点４によって制御される通信可能範囲（通信エリア）を１つまたは複数のセルとして端末装置２をサーブしてもよい。また、１つのセルを複数の部分領域（Ｂｅａｍｅｄ  ａｒｅａ、またはＢｅａｍｅｄ  ｃｅｌｌとも称する）にわけ、それぞれの部分領域において端末装置２をサーブしてもよい。ここで、部分領域は、
ビームフォーミングで使用されるビームのインデックス、クワジコロケーションのインデックスあるいはプリコーディングのインデックスに基づいて識別されてもよい。
【００１８】
基地局装置３がカバーする通信エリアは周波数毎にそれぞれ異なる広さ、異なる形状であっても良い。また、カバーするエリアが周波数毎に異なっていてもよい。また、基地局装置３の種別やセル半径の大きさが異なるセルが、同一の周波数または異なる周波数に混在して１つの通信システムを形成している無線ネットワークのことを、ヘテロジニアスネットワークと称する。
【００１９】
基地局装置３から端末装置２への無線通信リンクを下りリンクと称する。端末装置２から基地局装置３への無線通信リンクを上りリンクと称する。端末装置２から他の端末装置２への直接無線通信リンクをサイドリンクと称する。
【００２０】
図１において、端末装置２と基地局装置３の間の無線通信および／または端末装置２と他の端末装置２の間の無線通信では、サイクリックプレフィックス（ＣＰ：Ｃｙｃｌｉｃ
Ｐｒｅｆｉｘ）を含む直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、シングルキャリア周波数多重（ＳＣ−ＦＤＭ：Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅｘｉｎｇ）、離散フーリエ変換拡散ＯＦＤＭ（ＤＦＴ−Ｓ−ＯＦＤＭ：Ｄｉｓｃｒｅｔｅ  Ｆｏｕｒｉｅｒ  Ｔｒａｎｓｆｏｒｍ  Ｓｐｒｅａｄ  ＯＦＤＭ）、マルチキャリア符号分割多重（ＭＣ−ＣＤＭ：Ｍｕｌｔｉ−Ｃａｒｒｉｅｒ  Ｃｏｄｅ  Ｄｉｖｉｓｉｏｎ  Ｍｕｌｔｉｐｌｅｘｉｎｇ）が用いられてもよい。
【００２１】
また、図１において、端末装置２と基地局装置３の間の無線通信および／または端末装置２と他の端末装置２の間の無線通信では、ユニバーサルフィルタマルチキャリア（ＵＦＭＣ：Ｕｎｉｖｅｒｓａｌ−Ｆｉｌｔｅｒｅｄ  Ｍｕｌｔｉ−Ｃａｒｒｉｅｒ）、フィルタＯＦＤＭ（Ｆ−ＯＦＤＭ：Ｆｉｌｔｅｒｅｄ  ＯＦＤＭ）、窓が乗算されたＯＦＤＭ（Ｗｉｎｄｏｗｅｄ  ＯＦＤＭ）、フィルタバンクマルチキャリア（ＦＢＭＣ：Ｆｉｌｔｅｒ−Ｂａｎｋ  Ｍｕｌｔｉ−Ｃａｒｒｉｅｒ）が用いられてもよい。
【００２２】
なお、本実施形態ではＯＦＤＭを伝送方式としてＯＦＤＭシンボルで説明するが、上述の他の伝送方式の場合を用いた場合も本発明に含まれる。
【００２３】
また、図１において、端末装置２と基地局装置３の間の無線通信および／または端末装置２と他の端末装置２の間の無線通信では、ＣＰを用いない、あるいはＣＰの代わりにゼロパディングをした上述の伝送方式が用いられてもよい。また、ＣＰやゼロパディングは前方と後方の両方に付加されてもよい。
【００２４】
端末装置２は、セルの中を通信エリアとみなして動作する。端末装置２が、非無線接続時（アイドル状態、ＲＲＣ＿ＩＤＬＥ状態とも称する）はセル再選択手順によって別の適切なセルへ移動してもよい。端末装置２が、無線接続時（コネクティッド状態、ＲＲＣ＿ＣＯＮＮＥＣＴＥＤ状態とも称する）はハンドオーバ手順によって別のセルへ移動してもよい。適切なセルとは、一般的に、基地局装置３から示される情報に基づいて端末装置２のアクセスが禁止されていないと判断されるセルであって、かつ、下りリンクの受信品質が所定の条件を満たすセルのことを示す。また、端末装置２が、不活動状態（インアクティブ状態とも称する）において、セル再選択手順によって別の適切なセルへ移動してもよい。端末装置２が、不活動状態において、ハンドオーバ手順によって別のセルへ移動してもよい。
【００２５】
端末装置２がある基地局装置３と通信可能であるとき、その基地局装置３のセルのうち
、端末装置２との通信に使用されるように設定されているセルを在圏セル（Ｓｅｒｖｉｎｇ  ｃｅｌｌ）と称して、その他の通信に使用されないセルは周辺セル（Ｎｅｉｇｈｂｏｒｉｎｇ  ｃｅｌｌ）と称してよい。また、在圏セルにおいて必要となるシステム情報の一部あるいは全部は、端末装置２に対して、別のセルで報知または通知される場合もある。
【００２６】
本実施形態では、端末装置２に対して１つまたは複数のサービングセルが設定される。複数のサービングセルが端末装置２に対して設定された場合、設定された複数のサービングセルは、１つのプライマリセルと１つまたは複数のセカンダリセルとを含んでよい。プライマリセルは、初期コネクション確立（ｉｎｉｔｉａｌ  ｃｏｎｎｅｃｔｉｏｎ  ｅｓｔａｂｌｉｓｈｍｅｎｔ）プロシージャが行なわれたサービングセル、コネクション再確立（ｃｏｎｎｅｃｔｉｏｎ  ｒｅ−ｅｓｔａｂｌｉｓｈｍｅｎｔ）プロシージャを開始したサービングセル、または、ハンドオーバプロシージャにおいてプライマリセルと指示されたセルでもよい。ＲＲＣ（Ｒａｄｉｏ  Ｒｅｓｏｕｒｃｅ  Ｃｏｎｔｒｏｌ）接続が確立された時点、または、ＲＲＣ接続が確立された後に、１つまたは複数のセカンダリセルが設定されてもよい。また、プライマリセル（ＰＣｅｌｌ）を含む１つまたは複数のサービングセルで構成されるセルグループ（マスターセルグループ（ＭＣＧ）とも称する）と、プライマリセルを含まず、少なくともランダムアクセス手順が実施可能であり非活性状態とならないプライマリセカンダリセル（ＰＳＣｅｌｌ）を含む１つまたは複数のサービングセルで構成される１つまたは複数のセルグループ（セカンダリセルグループ（ＳＣＧ）とも称する）とが端末装置２に対して設定されてもよい。
【００２７】
本実施形態の無線通信システムは、ＴＤＤ（Ｔｉｍｅ  Ｄｉｖｉｓｉｏｎ  Ｄｕｐｌｅｘ）および／またはＦＤＤ（Ｆｒｅｑｕｅｎｃｙ  Ｄｉｖｉｓｉｏｎ  Ｄｕｐｌｅｘ）が適用されてよい。複数のセルの全てに対してＴＤＤ（Ｔｉｍｅ  Ｄｉｖｉｓｉｏｎ  Ｄｕｐｌｅｘ）方式またはＦＤＤ（Ｆｒｅｑｕｅｎｃｙ  Ｄｉｖｉｓｉｏｎ  Ｄｕｐｌｅｘ）方式が適用されてもよい。また、ＴＤＤ方式が適用されるセルとＦＤＤ方式が適用されるセルが集約されてもよい。
【００２８】
下りリンクにおいて、サービングセルに対応するキャリアを下りリンクコンポーネントキャリア（あるいは下りリンクキャリア）と称する。上りリンクにおいて、サービングセルに対応するキャリアを上りリンクコンポーネントキャリア（あるいは上りリンクキャリア）と称する。サイドリンクにおいて、サービングセルに対応するキャリアをサイドリンクコンポーネントキャリア（あるいはサイドリンクキャリア）と称する。下りリンクコンポーネントキャリア、上りリンクコンポーネントキャリア、および／またはサイドリンクコンポーネントキャリアを総称してコンポーネントキャリア（あるいはキャリア）と称する。
【００２９】
本実施形態の物理チャネルおよび物理シグナルについて説明する。
【００３０】
図１において、端末装置２と基地局装置３の無線通信では、以下の物理チャネルが用いられる。物理チャネルは、上位層から出力された情報を送信するために使用される。
・ＰＢＣＨ（Ｐｈｙｓｉｃａｌ  Ｂｒｏａｄｃａｓｔ  ＣＨａｎｎｅｌ）
・ＰＣＣＨ（Ｐｈｙｓｉｃａｌ  Ｃｏｎｔｒｏｌ  ＣＨａｎｎｅｌ）
・ＰＳＣＨ（Ｐｈｙｓｉｃａｌ  Ｓｈａｒｅｄ  ＣＨａｎｎｅｌ）
・ＰＲＡＣＨ（Ｐｈｙｓｉｃａｌ  Ｒａｎｄｏｍ  Ａｃｃｅｓｓ  ＣＨａｎｎｅｌ）
【００３１】
ＰＢＣＨは、端末装置２が必要とする重要情報（Ｅｓｓｅｎｔｉａｌ  ｉｎｆｏｒｍａｔｉｏｎ）を含む重要情報ブロック（ＭＩＢ：Ｍａｓｔｅｒ  Ｉｎｆｏｒｍａｔｉｏｎ  Ｂｌｏｃｋ、ＥＩＢ：Ｅｓｓｅｎｔｉａｌ  Ｉｎｆｏｒｍａｔｉｏｎ  Ｂｌｏｃｋ）を基
地局装置３が報知するために用いられる。ここで、１つまたは複数の重要情報ブロックは、重要情報メッセージとして送信されてもよい。例えば、重要情報ブロックには複数の無線フレームで構成されるスーパーフレーム内における位置に関する情報（例えば、スーパーフレーム内におけるフレーム番号（ＳＦＮ：Ｓｙｓｔｅｍ  Ｆｒａｍｅ  Ｎｕｍｂｅｒ）の一部あるいは全部を示す情報）が含まれてもよい。また、セル内の領域ごとに異なる重要情報ブロックが送信される場合には領域を識別できる情報（例えば、領域を構成する送信ビームの識別子情報）が含まれてもよい。また例えば、重要情報には、セルへの接続やモビリティのために必要なシステム情報（ＳＩ：Ｓｙｓｔｅｍ  Ｉｎｆｏｒｍａｔｉｏｎ）の一部あるいは全部が含まれてもよい。システム情報は用途によって複数のブロック（システム情報ブロック）に分けられてもよい。システム情報メッセージが１つまたは複数のシステム情報ブロックで構成されてもよい。重要情報メッセージはシステム情報メッセージの一部であってもよい。また、重要情報メッセージの一部あるいは全部が、最少システム情報（Ｍｉｎｉｍｕｍ  ＳＩ）と称されてもよい。あるセルにおける有効な最少システム情報のすべてが取得できない場合に、端末装置２は、そのセルをアクセスが禁止されたセル（Ｂａｒｒｅｄ  Ｃｅｌｌ）とみなしてもよい。
【００３２】
ＰＣＣＨは、上りリンクの無線通信（端末装置２から基地局装置３の無線通信）の場合には、上りリンク制御情報（Ｕｐｌｉｎｋ  Ｃｏｎｔｒｏｌ  Ｉｎｆｏｒｍａｔｉｏｎ：ＵＣＩ）を送信するために用いられる。ここで、上りリンク制御情報には、下りリンクのチャネルの状態を示すために用いられるチャネル状態情報（ＣＳＩ：Ｃｈａｎｎｅｌ  Ｓｔａｔｅ  Ｉｎｆｏｒｍａｔｉｏｎ）が含まれてもよい。また、上りリンク制御情報には、ＵＬ−ＳＣＨリソースを要求するために用いられるスケジューリング要求（ＳＲ：Ｓｃｈｅｄｕｌｉｎｇ  Ｒｅｑｕｅｓｔ）が含まれてもよい。また、上りリンク制御情報には、ＨＡＲＱ−ＡＣＫ（Ｈｙｂｒｉｄ  Ａｕｔｏｍａｔｉｃ  Ｒｅｐｅａｔ  ｒｅｑｕｅｓｔ  ＡＣＫｎｏｗｌｅｄｇｅｍｅｎｔ）が含まれてもよい。ＨＡＲＱ−ＡＣＫは、下りリンクデータ（Ｔｒａｎｓｐｏｒｔ  ｂｌｏｃｋ，  Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ：ＭＡＣ  ＰＤＵ，Ｄｏｗｎｌｉｎｋ−Ｓｈａｒｅｄ  Ｃｈａｎｎｅｌ：ＤＬ−ＳＣＨ）に対するＨＡＲＱ−ＡＣＫを示してもよい。
【００３３】
また、ＰＣＣＨは、下りリンクの無線通信（基地局装置３から端末装置２への無線通信）の場合には、下りリンク制御情報（Ｄｏｗｎｌｉｎｋ  Ｃｏｎｔｒｏｌ  Ｉｎｆｏｒｍａｔｉｏｎ：ＤＣＩ）を送信するために用いられる。ここで、下りリンク制御情報の送信に対して、１つまたは複数のＤＣＩ（ＤＣＩフォーマットと称してもよい）が定義される。すなわち、下りリンク制御情報に対するフィールドがＤＣＩとして定義され、情報ビットへマップされる。
【００３４】
例えば、ＤＣＩとして、スケジューリングされたＰＳＣＨに含まれる信号が下りリンクの無線通信か上りリンクの無線通信かを示す情報を含むＤＣＩが定義されてもよい。
【００３５】
例えば、ＤＣＩとして、スケジューリングされたＰＳＣＨに含まれる下りリンクの送信期間を示す情報を含むＤＣＩが定義されてもよい。
【００３６】
例えば、ＤＣＩとして、スケジューリングされたＰＳＣＨに含まれる上りリンクの送信期間を示す情報を含むＤＣＩが定義されてもよい。
【００３７】
例えば、ＤＣＩとして、スケジューリングされたＰＳＣＨに対するＨＡＲＱ−ＡＣＫを送信するタイミング（例えば、ＰＳＣＨに含まれる最後のシンボルからＨＡＲＱ−ＡＣＫ送信までのシンボル数）示す情報を含むＤＣＩが定義されてもよい。
【００３８】
例えば、ＤＣＩとして、スケジューリングされたＰＳＣＨに含まれる下りリンクの送信期間、ギャップ、及び上りリンクの送信期間を示す情報を含むＤＣＩが定義されてもよい。
【００３９】
例えば、ＤＣＩとして、１つのセルにおける１つの下りリンクの無線通信ＰＳＣＨ（１つの下りリンクトランスポートブロックの送信）のスケジューリングのために用いられるＤＣＩが定義されてもよい。
【００４０】
例えば、ＤＣＩとして、１つのセルにおける１つの上りリンクの無線通信ＰＳＣＨ（１つの上りリンクトランスポートブロックの送信）のスケジューリングのために用いられるＤＣＩが定義されてもよい。
【００４１】
ここで、ＤＣＩには、ＰＳＣＨに上りリンクまたは下りリンクが含まれる場合にＰＳＣＨのスケジューリングに関する情報が含まれる。ここで、下りリンクに対するＤＣＩを、下りリンクグラント（ｄｏｗｎｌｉｎｋ  ｇｒａｎｔ）、または、下りリンクアサインメント（ｄｏｗｎｌｉｎｋ  ａｓｓｉｇｎｍｅｎｔ）とも称する。ここで、上りリンクに対するＤＣＩを、上りリンクグラント（ｕｐｌｉｎｋ  ｇｒａｎｔ）、または、上りリンクアサインメント（Ｕｐｌｉｎｋ  ａｓｓｉｇｎｍｅｎｔ）とも称する。
【００４２】
ＰＳＣＨは、媒介アクセス（ＭＡＣ：Ｍｅｄｉｕｍ  Ａｃｃｅｓｓ  Ｃｏｎｔｒｏｌ）からの上りリンクデータ（ＵＬ−ＳＣＨ：Ｕｐｌｉｎｋ  Ｓｈａｒｅｄ  ＣＨａｎｎｅｌ）または下りリンクデータ（ＤＬ−ＳＣＨ：Ｄｏｗｎｌｉｎｋ  Ｓｈａｒｅｄ  ＣＨａｎｎｅｌ）の送信に用いられる。また、下りリンクの場合にはシステム情報やランダムアクセス応答（ＲＡＲ：Ｒａｎｄｏｍ  Ａｃｃｅｓｓ  Ｒｅｓｐｏｎｓｅ）などの送信にも用いられる。上りリンクの場合には、上りリンクデータと共にＨＡＲＱ−ＡＣＫおよび／またはＣＳＩを送信するために用いられてもよい。また、ＣＳＩのみ、または、ＨＡＲＱ−ＡＣＫおよびＣＳＩのみを送信するために用いられてもよい。すなわち、ＵＣＩのみを送信するために用いられてもよい。
【００４３】
ここで、基地局装置３と端末装置２は、上位層（ｈｉｇｈｅｒ  ｌａｙｅｒ）において信号をやり取り（送受信）する。例えば、基地局装置３と端末装置２は、無線リソース制御（ＲＲＣ：Ｒａｄｉｏ  Ｒｅｓｏｕｒｃｅ  Ｃｏｎｔｒｏｌ）層において、ＲＲＣシグナリング（ＲＲＣ  ｍｅｓｓａｇｅ：Ｒａｄｉｏ  Ｒｅｓｏｕｒｃｅ  Ｃｏｎｔｒｏｌ  ｍｅｓｓａｇｅ、ＲＲＣ  ｉｎｆｏｒｍａｔｉｏｎ：Ｒａｄｉｏ  Ｒｅｓｏｕｒｃｅ  Ｃｏｎｔｒｏｌ  ｉｎｆｏｒｍａｔｉｏｎとも称される）を送受信してもよい。また、基地局装置３と端末装置２は、ＭＡＣ（Ｍｅｄｉｕｍ  Ａｃｃｅｓｓ  Ｃｏｎｔｒｏｌ）層において、ＭＡＣコントロールエレメントを送受信してもよい。ここで、ＲＲＣシグナリング、および／または、ＭＡＣコントロールエレメントを、上位層の信号（ｈｉｇｈｅｒ  ｌａｙｅｒ  ｓｉｇｎａｌｉｎｇ）とも称する。
【００４４】
ＰＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置２に対して共通のシグナリングであってもよい。また、基地局装置３から送信されるＲＲＣシグナリングは、ある端末装置２に対して専用のシグナリング（ｄｅｄｉｃａｔｅｄ  ｓｉｇｎａｌｉｎｇとも称する）であってもよい。すなわち、端末装置２固有（ＵＥ  Ｓｐｅｃｉｆｉｃ）な情報は、ある端末装置２に対して専用のシグナリングを用いて送信されてもよい。ＰＳＣＨは、上りリンクにおいてＵＥの能力（ＵＥ  Ｃａｐａｂｉｌｉｔｙ）の送信に用いられてもよい。また、論理チャネルであるＤＣＣＨ （Ｄｅｄｉｃａｔｅｄ Ｃｏｎｔｒｏｌ Ｃｈａｎｎｅｌ）がＲＲＣメッセージ
の送信に使われることは、ある端末装置２に対して専用（固有）のシグナリングを使うこ
とになる。
【００４５】
なお、ＰＣＣＨおよびＰＳＣＨは下りリンクと上りリンクで同一の呼称を用いているが、下りリンクと上りリンクで異なるチャネルが定義されてもよい。例えば、下りリンク用のＰＣＣＨをＰＤＣＣＨ（Ｐｈｙｓｉｃａｌ  Ｄｏｗｎｌｉｎｋ  Ｃｏｎｔｒｏｌ  ＣＨａｎｎｅｌ）と定義し、上りリンク用のＰＣＣＨをＰＵＣＣＨ（Ｐｈｙｓｉｃａｌ  Ｕｐｌｉｎｋ  Ｃｏｎｔｒｏｌ  ＣＨａｎｎｅｌ）と定義してもよい。例えば、下りリンク用のＰＳＣＨをＰＤＳＣＨ（Ｐｈｙｓｉｃａｌ  Ｄｏｗｎｌｉｎｋ  Ｓｈａｒｅｄ  ＣＨａｎｎｅｌ）と定義し、上りリンク用のＰＳＣＨをＰＵＳＣＨ（Ｐｈｙｓｉｃａｌ  Ｕｐｌｉｎｋ  Ｓｈａｒｅｄ  ＣＨａｎｎｅｌ）と定義してもよい。
【００４６】
ＰＲＡＣＨは、ランダムアクセスプリアンブル（ランダムアクセスメッセージ１）を送信するために用いられてもよい。ＰＲＡＣＨは、初期コネクション確立（ｉｎｉｔｉａｌ
ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンク送信に対する同期（タイミング調整）、およびＰＵＳＣＨ（ＵＬ−ＳＣＨ）リソースの要求を示すために用いられてもよい。
【００４７】
下りリンクグラント、または、上りリンクグラントに付加されるＣＲＣパリティビットには、Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、Ｔｅｍｐｏｒａｒｙ  Ｃ−ＲＮＴＩ、ＳＰＳ  Ｃ−ＲＮＴＩなどの識別子情報が排他的論理和されてもよい。Ｃ−ＲＮＴＩおよびＳＰＳ  Ｃ−ＲＮＴＩは、セル内において端末装置２を識別するための識別子として使われてもよい。Ｔｅｍｐｏｒａｒｙ  Ｃ−ＲＮＴＩは、競合ベースランダムアクセス手順において用いられてもよい。
【００４８】
Ｃ−ＲＮＴＩは、１つのサブフレームにおけるＰＳＣＨ（ＰＤＳＣＨおよび／またはＰＵＳＣＨ）を制御するために用いられてもよい。ＳＰＳ  Ｃ−ＲＮＴＩは、ＰＳＣＨ（ＰＤＳＣＨおよび／またはＰＵＳＣＨ）のリソースを周期的に割り当てるために用いられてもよい。Ｔｅｍｐｏｒａｒｙ  Ｃ−ＲＮＴＩは、ランダムアクセス時に用いられてもよい。また、ＳＩ−ＲＮＴＩ（Ｓｙｓｔｅｍ  Ｉｎｆｏｒｍａｔｉｏｎ  ＲＮＴＩ）がシステム情報メッセージを識別するための識別子として使われてもよい。ＳＩ−ＲＮＴＩは、システム情報メッセージを報知（通知）するためのＰＤＳＣＨリソースを割り当てるために用いられてもよい。１つのシステム情報メッセージには１または複数のシステム情報ブロックが含まれてもよい。
【００４９】
図１において、下りリンクの無線通信では、以下の下りリンク物理シグナルが用いられてもよい。
・同期信号（Ｓｙｎｃｈｒｏｎｉｚａｔｉｏｎ  ｓｉｇｎａｌ：ＳＳ）
・参照信号（Ｒｅｆｅｒｅｎｃｅ  Ｓｉｇｎａｌ：ＲＳ）
【００５０】
同期信号は、端末装置２が下りリンクの周波数領域および時間領域の同期をとるために用いられてもよい。同期信号は、ＰＳＳ（Ｐｒｉｍａｒｙ  Ｓｙｎｃｈｒｏｎｉｚａｔｉｏｎ  Ｓｉｇｎａｌ）、および／または、ＳＳＳ（Ｓｅｃｏｎｄ  Ｓｙｎｃｈｒｏｎｉｚａｔｉｏｎ  Ｓｉｇｎａｌ）を含んでもよい。また、同期信号は、下りリンクビームフォーミングにおいて基地局装置３が用いる基地局送信ビームおよび／または端末装置２が用いる端末受信ビームの選択／識別／決定に用いられて良い。すなわち、同期信号は、基地局装置３によって下りリンク信号に対して適用された基地局送信ビームのインデックスを、端末装置２が選択／識別／決定するために用いられてもよい。
【００５１】
下りリンクの参照信号（以下、単に、参照信号とも記載する）は、主に端末装置２が下りリンク物理チャネルの伝搬路補正を行なうために用いられる。すなわち、下りリンクの参照信号には、復調参照信号が含まれてもよい。下りリンクの参照信号は、端末装置２が下りリンクのチャネル状態情報を算出するために用いられてもよい。すなわち、下りリンクの参照信号には、チャネル状態情報参照信号が含まれてもよい。また、下りリンクの参照信号は、無線パラメータやサブキャリア間隔に対するヌメロロジーの決定や、ＦＦＴの窓同期などができる程度の細かい同期（Ｆｉｎｅ  ｓｙｎｃｈｒｏｎｉｚａｔｉｏｎ）に用いられてもよい。
【００５２】
下りリンク物理チャネルおよび下りリンク物理信号を総称して、下りリンク信号と称してもよい。上りリンク物理チャネルおよび上りリンク物理信号を総称して、上りリンク信号と称してもよい。
【００５３】
ＢＣＨ、ＵＬ−ＳＣＨおよびＤＬ−ＳＣＨは、トランスポートチャネルである。媒体アクセス制御（Ｍｅｄｉｕｍ  Ａｃｃｅｓｓ  Ｃｏｎｔｒｏｌ：ＭＡＣ）層で用いられるチャネルをトランスポートチャネルと称する。ＭＡＣ層で用いられるトランスポートチャネルの単位を、トランスポートブロック（ｔｒａｎｓｐｏｒｔ  ｂｌｏｃｋ：ＴＢ）またはＭＡＣ  ＰＤＵ（Ｐｒｏｔｏｃｏｌ  Ｄａｔａ  Ｕｎｉｔ）とも称する。トランスポートブロックは、ＭＡＣ層が物理層に渡す（ｄｅｌｉｖｅｒ）データの単位である。物理層において、トランスポートブロックはコードワードにマップされ、コードワード毎に符号化処理が行なわれる。
【００５４】
本実施形態の無線プロトコル構造について説明する。
【００５５】
本実施形態では、端末装置２及び基地局装置３のユーザデータを扱うプロトコルスタックをユーザプレーン（ＵＰ（Ｕｓｅｒ−ｐｌａｎｅ、Ｕ−Ｐｌａｎｅ））プロトコルスタック、制御データを扱うプロトコルスタックを制御プレーン（ＣＰ（Ｃｏｎｔｒｏｌ−ｐｌａｎｅ、Ｃ−Ｐｌａｎｅ））プロトコルスタックと称する。
【００５６】
物理層（Ｐｈｙｓｉｃａｌ  ｌａｙｅｒ：ＰＨＹ層）は、物理チャネル（Ｐｈｙｓｉｃａｌ  Ｃｈａｎｎｅｌ）を利用して上位層に伝送サービスを提供する。ＰＨＹ層は、上位の媒体アクセス制御層（Ｍｅｄｉｕｍ  Ａｃｃｅｓｓ  Ｃｏｎｔｒｏｌ  ｌａｙｅｒ：ＭＡＣ層）とトランスポートチャネルで接続される。トランスポートチャネルを介して、ＭＡＣ層とＰＨＹ層とレイヤ（ｌａｙｅｒ：層）間でデータが移動する。端末装置２と基地局装置３のＰＨＹ層間において、物理チャネルを介してデータの送受信が行われる。
【００５７】
ＭＡＣ層は、多様な論理チャネルを多様なトランスポートチャネルにマッピングを行う。ＭＡＣ層は、上位の無線リンク制御層（Ｒａｄｉｏ  Ｌｉｎｋ  Ｃｏｎｔｒｏｌ  ｌａｙｅｒ：ＲＬＣ層）とは論理チャネルで接続される。論理チャネルは、伝送される情報の種類によって大きく分けられ、制御情報を伝送する制御チャネルとユーザ情報を伝送するトラフィックチャネルに分けられる。ＭＡＣ層は、間欠受送信（ＤＲＸ・ＤＴＸ）を行うためにＰＨＹ層の制御を行う機能、ランダムアクセス手順を実行する機能、送信電力の情報を通知する機能、ＨＡＲＱ制御を行う機能などを持つ。
【００５８】
ＲＬＣ層は、上位層から受信したデータを分割（Ｓｅｇｍｅｎｔａｔｉｏｎ）し、下位層が適切にデータ送信できるようにデータサイズを調節する。また、ＲＬＣ層は、各データが要求するＱｏＳ（Ｑｕａｌｉｔｙ  ｏｆ  Ｓｅｒｖｉｃｅ）を保証するための機能も持つ。すなわち、ＲＬＣ層は、データの再送制御等の機能を持つ。
【００５９】
パケットデータコンバージェンスプロトコル層（Ｐａｃｋｅｔ  Ｄａｔａ  Ｃｏｎｖｅ
ｒｇｅｎｃｅ  Ｐｒｏｔｏｃｏｌ  ｌａｙｅｒ：ＰＤＣＰ層）は、ユーザデータであるＩＰパケットを無線区間で効率的に伝送するために、不要な制御情報の圧縮を行うヘッダ圧縮機能を持つ。また、ＰＤＣＰ層は、データの暗号化の機能も持つ。
【００６０】
さらに、制御プレーンプロトコルスタックには、無線リソース制御層（Ｒａｄｉｏ  Ｒｅｓｏｕｒｃｅ  Ｃｏｎｔｒｏｌ  ｌａｙｅｒ：ＲＲＣ層）がある。ＲＲＣ層は、無線ベアラ（Ｒａｄｉｏ  Ｂｅａｒｅｒ：ＲＢ）の設定・再設定を行い、論理チャネル、トランスポートチャネル及び物理チャネルの制御を行う。ＲＢは、シグナリグ無線ベアラ（Ｓｉｇｎａｌｉｎｇ  Ｒａｄｉｏ  Ｂｅａｒｅｒ：ＳＲＢ）とデータ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。基地局装置３と端末装置２のＲＲＣ層間で各ＲＢの設定が行われてもよい。
【００６１】
なお、ＰＨＹ層は一般的に知られる開放型システム間相互接続（Ｏｐｅｎ  Ｓｙｓｔｅｍｓ  Ｉｎｔｅｒｃｏｎｎｅｃｔｉｏｎ：ＯＳＩ）モデルの階層構造の中で第一層の物理層に対応し、ＭＡＣ層、ＲＬＣ層及びＰＤＣＰ層はＯＳＩモデルの第二層であるデータリンク層に対応し、ＲＲＣ層はＯＳＩモデルの第三層であるネットワーク層に対応する。
【００６２】
上記のＭＡＣ層、ＲＬＣ層及びＰＤＣＰ層の機能分類は一例であり、各機能の一部あるいは全部が実装されなくてもよい。また、各層の機能の一部あるいは全部が他の層に含まれてもよい。例えば、物理層から見れば、ＭＡＣ層のコントロールエレメント、およびＲＲＣシグナリングは、上位層の信号である。例えば、ＭＡＣ層から見れば、ＲＲＣシグナリングは、上位層の信号である。ＲＲＣ層から見れば、ＭＡＣ層および物理層は、下位層である。ＲＲＣ層から見て、例えばＮＡＳ層は、上層（Ｕｐｐｅｒ Ｌａｙｅｒ）とも称
する。
【００６３】
また、ネットワークと端末装置２との間で用いられるシグナリングプロトコルは、アクセス層（Ａｃｃｅｓｓ  Ｓｔｒａｔｕｍ：ＡＳ）プロトコルと非アクセス層（Ｎｏｎ−Ａｃｃｅｓｓ  Ｓｔｒａｔｕｍ：ＮＡＳ）プロトコルとに分割される。例えば、ＲＲＣ層以下のプロトコルは、端末装置２と基地局装置３との間で用いられるアクセス層プロトコルである。また、端末装置２の接続管理（Ｃｏｎｎｅｃｔｉｏｎ  Ｍａｎａｇｅｍｅｎｔ：ＣＭ）やモビリティ管理（Ｍｏｂｉｌｉｔｙ  Ｍａｎａｇｅｍｅｎｔ：ＭＭ）などのプロトコルは非アクセス層プロトコルであり、端末装置２とコアネットワーク（ＣＮ）との間で用いられる。例えば、端末装置２とモバイル管理エンティティ（Ｍｏｂｉｌｉｔｙ  Ｍａｎａｇｅｍｅｎｔ  Ｅｎｔｉｔｙ：ＭＭＥ）との間で、非アクセス層プロトコルを用いた通信が、基地局装置３を介して透過的に行われる。
【００６４】
以下、サブフレームについて説明する。本実施形態ではサブフレームと称するが、リソースユニット、無線フレーム、時間区間、時間間隔などと称されてもよい。また、１つまたは複数のサブフレームが１つの無線フレームを構成してもよい。
【００６５】
図４は、本発明の実施形態に係る下りリンクスロットの概略構成の一例を示す図である。無線フレームのそれぞれは、１０ｍｓ長である。また、無線フレームのそれぞれは１０個のサブフレームおよびＸ個のスロットから構成される。つまり、１サブフレームの長さは１ｍｓである。スロットのそれぞれは、サブキャリア間隔によって時間長が定義される。例えば、ＯＦＤＭシンボルのサブキャリア間隔が１５ｋＨｚ、ＮＣＰ（Ｎｏｒｍａｌ  Ｃｙｃｌｉｃ  Ｐｒｅｆｉｘ）の場合、Ｘ＝７あるいはＸ＝１４であり、それぞれ０．５ｍｓおよび１ｍｓである。また、サブキャリア間隔が６０ｋＨｚの場合は、Ｘ＝７あるいはＸ＝１４であり、それぞれ０．１２５ｍｓおよび０．２５ｍｓである。図２は、Ｘ＝７
の場合を一例として示している。なお、Ｘ＝１４の場合にも同様に拡張できる。また、上りリンクスロットも同様に定義され、下りリンクスロットと上りリンクスロットは別々に定義されてもよい。
【００６６】
スロットのそれぞれにおいて送信される信号または物理チャネルは、リソースグリッドによって表現されてよい。リソースグリッドは、複数のサブキャリアと複数のＯＦＤＭシンボルによって定義される。1つのスロットを構成するサブキャリアの数は、セルの下り
リンクおよび上りリンクの帯域幅にそれぞれ依存する。リソースグリッド内のエレメントのそれぞれをリソースエレメントと称する。リソースエレメントは、サブキャリアの番号とＯＦＤＭシンボルの番号とを用いて識別されてよい。
【００６７】
リソースブロックは、ある物理下りリンクチャネル（ＰＤＳＣＨなど）あるいは上りリンクチャネル（ＰＵＳＣＨなど）のリソースエレメントのマッピングを表現するために用いられる。リソースブロックは、仮想リソースブロックと物理リソースブロックが定義される。ある物理上りリンクチャネルは、まず仮想リソースブロックにマップされる。その後、仮想リソースブロックは、物理リソースブロックにマップされる。スロットに含まれるＯＦＤＭシンボル数Ｘ＝７で、ＮＣＰの場合には、１つの物理リソースブロックは、時間領域において７個の連続するＯＦＤＭシンボルと周波数領域において１２個の連続するサブキャリアとから定義される。つまり、１つの物理リソースブロックは、（７×１２）個のリソースエレメントから構成される。ＥＣＰ（Ｅｘｔｅｎｄｅｄ  ＣＰ）の場合、１つの物理リソースブロックは、例えば、時間領域において６個の連続するOFDMシンボルと、周波数領域において１２個の連続するサブキャリアとにより定義される。つまり、1つ
の物理リソースブロックは、（６×１２）個のリソースエレメントから構成される。このとき、1つの物理リソースブロックは、時間領域において１つのスロットに対応し、１５
ｋＨｚのサブキャリア間隔の場合、周波数領域において１８０ｋＨｚ（６０ｋＨｚの場合には７２０ｋＨｚ）に対応する。物理リソースブロックは、周波数領域において０から番号が付けられている。
【００６８】
次に、サブフレーム、スロット、ミニスロットについて説明する。図５は、サブフレーム、スロット、ミニスロットの時間領域における関係を示した図である。同図のように、３種類の時間ユニットが定義される。サブフレームは、サブキャリア間隔によらず１ｍｓであり、スロットに含まれるＯＦＤＭシンボル数は７または１４であり、スロット長はサブキャリア間隔により異なる。ここで、サブキャリア間隔が１５ｋＨｚの場合、１サブフレームには１４ＯＦＤＭシンボル含まれる。そのため、スロット長は、サブキャリア間隔をΔｆ（ｋＨｚ）とすると、１スロットを構成するＯＦＤＭシンボル数が７の場合、スロット長は０．５／（Δｆ／１５）ｍｓで定義されてよい。ここで、Δｆはサブキャリア間隔（ｋＨｚ）で定義されてよい。また、１スロットを構成するＯＦＤＭシンボル数が７の場合、スロット長は１／（Δｆ／１５）ｍｓで定義されてよい。ここで、Δｆはサブキャリア間隔（ｋＨｚ）で定義されてよい。さらに、スロットに含まれるＯＦＤＭシンボル数をＸとしたときに、スロット長はＸ／１４／（Δｆ／１５）ｍｓで定義されてもよい。
【００６９】
ミニスロット（サブスロットと称されてもよい）は、スロットに含まれるＯＦＤＭシンボル数よりも少ないＯＦＤＭシンボルで構成される時間ユニットである。同図はミニスロットが２ＯＦＤＭシンボルで構成される場合を一例として示している。ミニスロット内のＯＦＤＭシンボルは、スロットを構成するＯＦＤＭシンボルタイミングに一致してもよい。なお、スケジューリングの最小単位はスロットまたはミニスロットでよい。
【００７０】
図６は、スロットまたはサブフレーム（サブフレームタイプ）の一例を示す図である。ここでは、サブキャリア間隔１５ｋＨｚにおいてスロット長が０．５ｍｓの場合を例として示している。同図において、Ｄは下りリンク、Ｕは上りリンクを示している。同図に示
されるように、ある時間区間内（例えば、システムにおいて１つのＵＥに対して割り当てなければならない最小の時間区間）においては、
・下りリンクパート（デュレーション）
・ギャップ
・上りリンクパート（デュレーション）
のうち１つまたは複数を含んでよい。
【００７１】
図６（ａ）は、ある時間区間（例えば、１ＵＥに割当可能な時間リソースの最小単位、またはタイムユニットなどとも称されてよい。また、時間リソースの最小単位を複数束ねてタイムユニットと称されてもよい。）で、全て下りリンク送信に用いられている例であり、図６（ｂ）は、最初の時間リソースで例えばＰＣＣHを介して上りリンクのスケジュ
ーリングを行い、ＰＣＣＨの処理遅延及び下りから上りの切り替え時間、送信信号の生成のためのギャップを介して上りリンク信号を送信する。図６（ｃ）は、最初の時間リソースで下りリンクのＰＣＣＨおよび／または下りリンクのＰＳＣＨの送信に用いられ、処理遅延及び下りから上りの切り替え時間、送信信号の生成のためのギャップを介してＰＳＣＨまたはＰＣＣＨの送信に用いられる。ここで、一例としては、上りリンク信号はＨＡＲＱ−ＡＣＫおよび／またはＣＳＩ、すなわちＵＣＩの送信に用いられてよい。図６（ｄ）は、最初の時間リソースで下りリンクのＰＣＣＨおよび／または下りリンクのＰＳＣＨの送信に用いられ、処理遅延及び下りから上りの切り替え時間、送信信号の生成のためのギャップを介して上りリンクのＰＳＣＨおよび／またはＰＣＣＨの送信に用いられる。ここで、一例としては、上りリンク信号は上りリンクデータ、すなわちＵＬ−ＳＣＨの送信に用いられてもよい。図６（ｅ）は、全て上りリンク送信（上りリンクのＰＳＣＨまたはＰＣＣＨ）に用いられている例である。
【００７２】
上述の下りリンクパート、上りリンクパートは、ＬＴＥと同様複数のＯＦＤＭシンボルで構成されてよい。
【００７３】
ここで、リソースグリッドが、複数のサブキャリアと複数のＯＦＤＭシンボルまたはＳＣ−ＦＤＭＡシンボルによって定義されてもよい。また、１つのスロットを構成するサブキャリアの数は、セルの帯域幅に依存してもよい。１つの下りリンクパート、上りリンクパートを構成するＯＦＤＭシンボルの数は１または２以上であってもよい。ここで、リソースグリッド内のエレメントのそれぞれはリソースエレメントと称される。また、リソースエレメントは、サブキャリアの番号とＯＦＤＭシンボルまたはＳＣ−ＦＤＭＡシンボル番号を用いて識別されてもよい。
【００７４】
基地局装置３は、図６のサブフレーム構成の信号を送信してよい。
【００７５】
第１の基地局装置３のセル（第１のセル）をマスターセルグループのプライマリセルとして、接続状態または不活動状態の端末装置２が通信している状態において、第１の基地局装置３のセル（第１のセル）または第２の基地局装置３のセル（第２のセル）をセカンダリセルグループのセル（例えばプライマリセカンダリセル（ＰＳＣｅｌｌ））として追加する動作の一例について説明する。
【００７６】
なお、ここではセカンダリセルグループのモビリティ制御情報（ＭｏｂｉｌｉｔｙＣｏｎｔｒｏｌＩｎｆｏＳＣＧ）を含むセルグループ変更の手順を説明するが、これに限らず、セカンダリセルグループを追加する場合や、セカンダリセルグループのモビリティ制御情報を含まない（セカンダリセルグループの追加および変更を伴わない）ヌメロロジーの変更を行う場合にも適用することができる。
【００７７】
まず、セカンダリセルグループが第１のセルを含まない場合（例えばＰＣｅｌｌとＰＳ
Ｃｅｌｌが異なるセルの場合）における、セカンダリセルグループのヌメロロジーの設定（追加または変更）について説明する。
【００７８】
ヌメロロジーの設定は、第２層（ＰＤＣＰ層、ＲＬＣ層および／またはＭＡＣ層）のリセットまたは再確立（Ｒｅ−ｅｓｔａｂｌｉｓｈｍｅｎｔ）を伴ってよい。また、ヌメロロジーの設定は、ＰＳＣｅｌｌでのランダムアクセスの実行を伴ってよい。また、セカンダリセルグループの設定は、第２層のリセットおよび／または再確立を含む同期セカンダリセルグループ再設定プロシージャ（ランダムアクセスを伴うプロシージャ）であってよい。また、セカンダリセルグループの設定は、もしセカンダリセルグループのＤＲＢが設定されている場合にはセキュリティのリフレッシュを含む同期セカンダリセルグループ再設定プロシージャ（ランダムアクセスを伴うプロシージャ）であってよい。このプロシージャは、様々なシナリオで使われてよい。例えば、シナリオとは、セカンダリセルグループの確立（Ｅｓｔａｂｌｉｓｈｍｅｎｔ）、ＰＳＣｅｌｌの変更、セキュリティ鍵のリフレッシュ、ＤＲＢの変更、および／またはヌメロロジーの変更などである。端末装置２は、セカンダリセルグループに対するモビリティ制御情報（ｍｏｂｉｌｉｔｙＣｏｎｔｒｏｌＩｎｆｏＳＣＧ）を含むＲＲＣ接続再設定メッセージを受信することでセカンダリセルグループの設定に関連する動作を実行してもよい。
【００７９】
コネクティッド状態ではネットワークが端末装置２のモビリティを制御する。また、不活動状態でネットワークが端末装置２のモビリティを制御してもよい。ネットワーク制御のモビリティにおいて、モビリティ制御情報を含むＲＲＣ接続再設定メッセージを用いてＰＣｅｌｌが変更されてもよい。また、ネットワーク制御のモビリティにおいて、モビリティ制御情報を含む（または含まない）ＲＲＣ接続再設定メッセージを用いてＳＣｅｌｌが変更されてもよい。
【００８０】
また、セカンダリセルグループのモビリティ制御情報を含む（または含まない）ＲＲＣ接続再設定メッセージを用いてセカンダリセルグループが確立、再設定、または解放されてもよい。また、セカンダリセルグループの再設定において、ＰＳＣｅｌｌへのランダムアクセスが必要な場合、セカンダリセルグループの変更プロシージャ（すなわち、ｍｏｂｉｌｉｔｙＣｏｎｔｒｏｌＩｎｆｏＳＣＧを含むＲＲＣ接続再設定メッセージ）が用いられてもよい。
【００８１】
図７において、まず第１の基地局装置３は、第２の基地局装置３に対して端末装置２のセカンダリセル追加要求メッセージ（ＳｅＮＢ  Ａｄｄｉｔｉｏｎ  Ｒｅｑｕｅｓｔ）を通知する（ステップＳ７１）。前記セカンダリセル追加要求メッセージには、端末装置２の通信能力に関する情報、ネットワークリソースの割り当て情報、無線リソースの割り当て情報、端末装置２が使用しているヌメロロジーの情報、端末装置２が使用を希望しているヌメロロジーの情報、および第１の基地局装置３がサポートしているヌメロロジーの情報、の一部あるいは全部が含まれてよい。
【００８２】
ステップＳ７１によってセカンダリセル追加要求メッセージを受け取った第２の基地局装置３は、セカンダリセル追加要求を承認する場合、第１の基地局装置３に対してセカンダリセル追加要求承認メッセージ（ＳｅＮＢ  Ａｄｄｉｔｉｏｎ  Ｒｅｑｕｅｓｔ  Ａｃｋｎｏｗｌｅｄｇｅ）を通知する（ステップＳ７２）。セカンダリセル追加要求承認メッセージには、第２の基地局装置３による端末装置２に対する設定が含まれてよい。例えばセカンダリセル追加要求承認メッセージには、端末装置２に対して設定されるＲＲＣ接続再設定メッセージの一部あるいは全部が含まれてよい。
【００８３】
ＲＲＣ接続再設定メッセージの一例を、図８を用いて説明する。
【００８４】
図８に示すように、ＲＲＣ接続再設定メッセージは（８Ａ）ｒｒｃ−ＴｒａｎｓａｃｔｉｏｎＩｄｅｎｔｉｆｉｅｒ、（８Ｂ）ｍｅａｓＣｏｎｆｉｇ、（８Ｃ）ｍｏｂｉｌｉｔｙＣｏｎｔｒｏｌＩｎｆｏ、（８Ｄ）ｄｅｄｉｃａｔｅｄＩｎｆｏＮＡＳＬｉｓｔ、（８Ｅ）ｒａｄｉｏＲｅｓｏｕｒｃｅＣｏｎｆｉｇＤｅｄｉｃａｔｅｄ、（８Ｆ）ｓｅｃｕｒｉｔｙＣｏｎｆｉｇＨＯ、（８Ｇ）ｏｔｈｅｒＣｏｎｆｉｇ、（８Ｈ）ｆｕｌｌＣｏｎｆｉｇ、（８Ｉ）ｓＣｅｌｌＴｏＲｅｌｅａｓｅＬｉｓｔ、（８Ｊ）ｓＣｅｌｌＴｏＡｄｄＭｏｄＬｉｓｔ、（８Ｋ）ｓｙｓｔｅｍＩｎｆｏｍａｔｉｏｎＢｌｏｃｋＤｅｄｉｃａｔｅｄの一部あるいは全部を含んでよい。
【００８５】
（８Ａ）ｒｒｃ−ＴｒａｎｓａｃｔｉｏｎＩｄｅｎｔｉｆｉｅｒは、ＲＲＣプロシージャ（トランザクション）の識別に用いられる要素であり、例えば０から３の整数を値として持つ。（８Ｂ）ｍｅａｓＣｏｎｆｉｇは、端末装置２によって実行される（Ｐｅｒｆｏｒｍｅｄ）測定を設定するための情報であり、測定のためのギャップ期間の設定を含んでよい。（８Ｄ）ｄｅｄｉｃａｔｅｄＩｎｆｏＮＡＳＬｉｓｔは、ネットワークと端末装置２との間でやり取りされる端末装置２固有のＮＡＳ層の情報のリストであり、ＤＲＢ毎のＮＡＳ層の情報を含み、ＲＲＣ層は透過的にこの情報を上位レイヤ（ＮＡＳ層）に転送する。（８Ｅ）ｒａｄｉｏＲｅｓｏｕｒｃｅＣｏｎｆｉｇＤｅｄｉｃａｔｅｄは、ＳＲＢやＤＲＢの設定、変更、および／または解放に使われる情報、ＭＡＣ層の設定を変更するための情報、物理層のチャネル設定に関する情報などが含まれてよい。（８Ｆ）ｓｅｃｕｒｉｔｙＣｏｎｆｉｇＨＯは、セキュリティに関する設定であり、例えば、ＳＲＢのＡＳ層における完全性保証（Ｉｎｔｅｇｒｉｔｙ  Ｐｒｏｔｅｃｔｉｏｎ）アルゴリズムの設定や、ＳＲＢおよび／またはＤＲＢの暗号（Ｃｉｐｈｅｒｉｎｇ）アルゴリズムの設定などを含んでよい。（８Ｈ）ｆｕｌｌＣｏｎｆｉｇは、このＲＲＣ接続再設定メッセージに特定のオプションが適用されるか否かを示す情報であり、端末装置２は、（８Ｈ）ｆｕｌｌＣｏｎｆｉｇがＲＲＣ接続再設定メッセージに含まれる場合に、特定の要素に含まれる設定を適用するようにしてよい。（８Ｉ）ｓＣｅｌｌＴｏＲｅｌｅａｓｅＬｉｓｔ、（８Ｊ）ｓＣｅｌｌＴｏＡｄｄＭｏｄＬｉｓｔは、セカンダリセルの追加、変更、および／または解放に使われる情報が含まれてよい。（８Ｋ）ｓｙｓｔｅｍＩｎｆｏｍａｔｉｏｎＢｌｏｃｋＤｅｄｉｃａｔｅｄは、ターゲットセルの報知情報の一部を含んでよい。
【００８６】
（８Ｃ）ｍｏｂｉｌｉｔｙＣｏｎｔｒｏｌＩｎｆｏは、図９に示すような、ネットワーク制御によるモビリティ（例えばハンドオーバ）のために必要なパラメータを含む。（８Ｃ）ｍｏｂｉｌｉｔｙＣｏｎｔｒｏｌＩｎｆｏは、（９Ａ）ｔａｒｇｅｔＰｈｙｓＣｅｌｌＩｄ、（９Ｂ）ｃａｒｒｉｅｒＦｒｅｑ、（９Ｃ）ｃａｒｒｉｅｒＢａｎｄｗｉｄｔｈ、（９Ｄ）ｔ３０４、（９Ｅ）ｎｅｗＵＥ−Ｉｄｅｎｔｉｔｙ、（９Ｆ）ｒａｄｉｏＲｅｓｏｕｒｃｅＣｏｎｆｉｇＣｏｍｍｏｎ、（９Ｇ）ｒａｃｈ−ＣｏｎｆｉｇＤｅｄｉｃａｔｅｄ、の一部あるいは全部を含んでよい。また、（８Ｃ）ｍｏｂｉｌｉｔｙＣｏｎｔｒｏｌＩｎｆｏは、その他の様々な情報を含んでもよい。
【００８７】
（９Ａ）ｔａｒｇｅｔＰｈｙｓＣｅｌｌＩｄは、ターゲットセルの識別子(例えば物理
セル識別子）を示す。（９Ｂ）ｃａｒｒｉｅｒＦｒｅｑは、端末装置２がターゲットセルで使う周波数の情報を示す。（９Ｃ）ｃａｒｒｉｅｒＢａｎｄｗｉｄｔｈは、ターゲットセルの下りリンクおよび／または上りリンクの帯域幅の情報を示す。（９Ｄ）ｔ３０４は、ハンドオーバに関するタイマーの値を示し、例えば端末装置２は、タイマーで示される時間内にハンドオーバが正常に完了しない場合に既定の処理を実行してもよい。（９Ｅ）ｎｅｗＵＥ−Ｉｄｅｎｔｉｔｙは、ターゲットセルにおける端末装置２の新しい識別子（例えばＣ−ＲＮＴＩ）を示す。
【００８８】
（９Ｆ）ｒａｄｉｏＲｅｓｏｕｒｃｅＣｏｎｆｉｇＣｏｍｍｏｎは、図１０に示すような、ランダムアクセスパラメータや静的な物理層パラメータなどの共通無線リソース設定
を特定する（Ｓｐｅｃｉｆｙ）ために使われる情報を含む。（９Ｆ）ｒａｄｉｏＲｅｓｏｕｒｃｅＣｏｎｆｉｇＣｏｍｍｏｎは、（１０Ａ）ｒａｃｈ−ＣｏｎｆｉｇＣｏｍｍｏｎ、（１０Ｂ）ｐｒａｃｈ−Ｃｏｎｆｉｇ、（１０Ｃ）ｐｄｓｃｈ−ＣｏｎｆｉｇＣｏｍｍｏｎ、（１０Ｄ）ｐｕｓｃｈ−ＣｏｎｆｉｇＣｏｍｍｏｎ、（１０Ｅ）ｐｕｃｃｈ−ＣｏｎｆｉｇＣｏｍｍｏｎ、（１０Ｆ）ｓｏｕｎｄｉｎｇＲＳ−ＵＬ−ＣｏｎｆｉｇＣｏｍｍｏｎ、（１０Ｇ）ｕｐｌｉｎｋＰｏｗｅｒＣｏｎｔｒｏｌＣｏｍｍｏｎ、（１０Ｈ）ａｎｔｅｎｎａＩｎｆｏＣｏｍｍｏｎ、（１０Ｉ）ｐ−Ｍａｘ、（１０Ｊ）ｔｄｄ−Ｃｏｎｆｉｇ、の一部あるいは全部を含んでよい。また、（９Ｆ）ｒａｄｉｏＲｅｓｏｕｒｃｅＣｏｎｆｉｇＣｏｍｍｏｎは、その他の様々な情報を含んでもよい。また、（１０Ｃ）ｐｄｓｃｈ−ＣｏｎｆｉｇＣｏｍｍｏｎと（１０Ｄ）ｐｕｓｃｈ−ＣｏｎｆｉｇＣｏｍｍｏｎの設定をまとめて一つの設定（ｐｓｃｈ−ＣｏｎｆｉｇＣｏｍｍｏｎ）としてもよい。
【００８９】
（１０Ａ）ｒａｃｈ−ＣｏｎｆｉｇＣｏｍｍｏｎは、一般的なランダムアクセスパラメータ（Ｇｅｎｅｒｉｃ  ｒａｎｄｏｍ  ａｃｃｅｓｓ  ｐａｒａｍｅｔｅｒ）を特定するために使われる情報を含む。例えば（１０Ａ）ｒａｃｈ−ＣｏｎｆｉｇＣｏｍｍｏｎは、ランダムアクセスプリアンブルの情報として、個別に使用されない（Ｎｏｎ−ｄｅｄｉｃａｔｅｄ）プリアンブルの数、グループ化されたプリアンブルの何れのグループのプリアンブルを用いるかを判断するための閾値情報、および／またはパワーランピングに関する情報、の一部あるいは全部を含んでよい。
【００９０】
（１０Ｂ）ｐｒａｃｈ−Ｃｏｎｆｉｇは、ＰＲＡＣＨ設定を特定するために使われる情報を含む。例えば、（１０Ｂ）ｐｒａｃｈ−Ｃｏｎｆｉｇは、ランダムアクセスプリアンブルのルートシーケンスのインデックス情報、ランダムアクセスプリアンブル送信に用いられる時間／周波数リソースの情報、および／またはプリアンブルの送信に用いられるヌメロロジーの情報、の一部または全部を含んでよい。
【００９１】
（１０Ｃ）ｐｄｓｃｈ−ＣｏｎｆｉｇＣｏｍｍｏｎは、共通のＰＤＳＣＨ設定を特定するための情報を含む。例えば、（１０Ｃ）ｐｄｓｃｈ−ＣｏｎｆｉｇＣｏｍｍｏｎは、下りリンクの参照信号の単位リソースあたりのエネルギーの情報、下りリンク参照信号とＰＤＳＣＨの電力比に関する情報、および／またはＰＤＣＣＨおよび／またはＰＤＳＣＨの受信に用いられるヌメロロジーの情報、の一部または全部を含んでよい。
【００９２】
（１０Ｄ）ｐｕｓｃｈ−ＣｏｎｆｉｇＣｏｍｍｏｎは、共通のＰＵＳＣＨ設定、および／または上りリンク参照信号の設定を特定するための情報を含む。例えば、（１０Ｄ）ｐｕｓｃｈ−ＣｏｎｆｉｇＣｏｍｍｏｎは、ＰＵＳＣＨリソースの帯域情報、ホッピング情報、および／またはＰＵＣＣＨおよび／またはＰＵＳＣＨの送信に用いられるヌメロロジー情報、の一部または全部を含んでよい。
【００９３】
（１０Ｅ）ｐｕｃｃｈ−ＣｏｎｆｉｇＣｏｍｍｏｎは、共通のＰＵＣＣＨ設定を特定するための情報を含む。例えば、（１０Ｅ）ｐｕｃｃｈ−ＣｏｎｆｉｇＣｏｍｍｏｎは、ＰＵＣＣＨの送信に用いられるヌメロロジーの情報を含んでよい。（１０Ｆ）ｓｏｕｎｄｉｎｇＲＳ−ＵＬ−ＣｏｎｆｉｇＣｏｍｍｏｎは、基地局装置３による測定に使うことができる共通の上りリンクの参照信号の設定を特定するための情報を含む。例えば、（１０Ｆ）ｓｏｕｎｄｉｎｇＲＳ−ＵＬ−ＣｏｎｆｉｇＣｏｍｍｏｎは、上りリンクの参照信号の一部あるいは全部の送信に用いられるヌメロロジーの情報を含んでよい。（１０Ｇ）ｕｐｌｉｎｋＰｏｗｅｒＣｏｎｔｒｏｌＣｏｍｍｏｎは、共通の上りリンクの電力制御設定を特定するための情報を含む。（１０Ｈ）ａｎｔｅｎｎａＩｎｆｏＣｏｍｍｏｎは、共通のアンテナ設定を特定するための情報を含む。（１０Ｉ）ｐ−Ｍａｘは、端末装置２による上りリンク送信を制限するための情報を含む。（１０Ｊ）ｔｄｄ−Ｃｏｎｆｉｇは、ＴＤＤ特有の物理チャネル設定を特定するための情報を含む。
【００９４】
（９Ｇ）ｒａｃｈ−ＣｏｎｆｉｇＤｅｄｉｃａｔｅｄは、端末装置２に対して割り当てられる個別のランダムアクセスパラメータを特定するために使われる情報を含む。例えば、ランダムアクセスプリアンブルのフォーマットや時間／周波数リソースを明示的に示す情報、および／またはプリアンブルの送信に用いられるヌメロロジーの情報、の一部または全部を含んでよい。
【００９５】
（８Ｇ）ｏｔｈｅｒＣｏｎｆｉｇは、その他の設定の一部あるいは全部が含まれる。
【００９６】
また、（８Ｃ）ｍｏｂｉｌｉｔｙＣｏｎｔｒｏｌＩｎｆｏ、あるいは（８Ｃ）ｍｏｂｉｌｉｔｙＣｏｎｔｒｏｌＩｎｆｏに含まれる情報要素の何れかに、端末装置２がターゲットセルで送信する（１）ランダムアクセスプリアンブル、（２）ＲＲＣ接続再設定完了メッセージを含むＰＵＳＣＨ、端末装置２がターゲットセルで受信する（１）同期信号、（２）重要情報ブロック、（３）ランダムアクセス応答のメッセージを含むＰＤＳＣＨを受信するためのＰＤＣＣＨ、（４）ランダムアクセス応答のメッセージを含むＰＤＳＣＨ、（５）呼び出し（ページング）のメッセージを含むＰＤＳＣＨを受信するためのＰＤＣＣＨ、（６）呼び出し（ページング）のメッセージを含むＰＤＳＣＨ、の一部または全部に対するヌメロロジーを特定する情報が含まれてもよい。
【００９７】
ＲＲＣ接続再設定メッセージに含まれるセカンダリセルグループの設定（ＳＣＧ−Ｃｏｎｆｉｇｕｒａｔｉｏｎ）の一例を、図１１を用いて説明する。
【００９８】
図１１に示すように、セカンダリセルグループの設定は（１１Ａ）ｓｃｇ−ＣｏｎｆｉｇＰａｒｔＭＣＧ、（１１Ｂ）ｓｃｇ−ＣｏｎｆｉｇＰａｒｔＳＣＧの一部あるいは全部を含んでよい。
【００９９】
（１１Ａ）ｓｃｇ−ＣｏｎｆｉｇＰａｒｔＭＣＧは、セカンダリセルグループの設定を行う際のマスターセルグループにも関連する設定であり、例えば鍵情報の更新に関する情報および／またはマスターセルグループおよびセカンダリセルグループの電力に関する情報などが含まれてもよい。（１１Ｂ）ｓｃｇ−ＣｏｎｆｉｇＰａｒｔＳＣＧは、セカンダリセルグループの設定であり、例えば図１２に示すような、（１２Ａ）ｒａｄｉｏＲｅｓｏｕｒｃｅＣｏｎｆｉｇＤｅｄｉｃａｔｅｄＳＣＧ、ｐＳＣｅｌｌＴｏＡｄｄＭｏｄ、（１２Ｃ）ｓＣｅｌｌＴｏＡｄｄＭｏｄＬｉｓｔＳＣＧ、（１２Ｄ）ｓＣｅｌｌＴｏＲｅｌｅａｓｅＬｉｓｔＳＣＧ、および／または（１２Ｅ）ｍｏｂｉｌｉｔｙＣｏｎｔｒｏｌＩｎｆｏＳＣＧを含んでもよい。
【０１００】
（１２Ａ）ｒａｄｉｏＲｅｓｏｕｒｃｅＣｏｎｆｉｇＤｅｄｉｃａｔｅｄＳＣＧは、ＳＣＧに対する端末装置２固有の無線リソース設定であり、ＤＲＢの追加／変更のための情報、ＭＡＣ層の設定情報、タイマーの設定値、および／または定数情報を含んでよい。（１２Ｂ）ｐＳＣｅｌｌＴｏＡｄｄＭｏｄは、ＰＳＣｅｌｌとなるセルの追加／変更情報であり、ＳＣｅｌｌ（ＰＳＣｅｌｌ）を識別するためのインデックス情報、セルの識別子（例えば物理セル識別子またはセルグローバル識別子）、下りリンクのキャリア周波数情報、ＰＳＣｅｌｌの共通無線リソース設定、および／またはＰＳＣｅｌｌの端末装置２固有の無線リソース設定の情報が含まれてよい。
【０１０１】
（１２Ｃ）ｓＣｅｌｌＴｏＡｄｄＭｏｄＬｉｓｔＳＣＧは、セカンダリセルグループのＳＣｅｌｌとなるセルの追加／変更情報であり、１つまたは複数のＳＣｅｌｌ情報のリストを含んでよい。さらに、各ＳＣｅｌｌ情報にはＳＣｅｌｌを識別するためのＳＣｅｌｌインデックス情報、セルの識別子（例えば物理セル識別子またはセルグローバル識別子）、下りリンクのキャリア周波数情報、および／またはＳＣｅｌｌの共通無線リソース設定
の情報が含まれてよい。（１２Ｄ）ｓＣｅｌｌＴｏＲｅｌｅａｓｅＬｉｓｔＳＣＧは、セカンダリセルグループのＳＣｅｌｌを解放するための情報であり、１つまたは複数のＳＣｅｌｌインデックス情報のリストを含んでよい。
【０１０２】
（１２Ｅ）ｍｏｂｉｌｉｔｙＣｏｎｔｒｏｌＩｎｆｏＳＣＧは、セカンダリセルグループの変更に必要な情報であり、セカンダリセルグループにおいて端末装置２に割り当てられる識別子、端末装置２に対して割り当てられる個別のランダムアクセスパラメータを特定するために使われる情報、および／または暗号アルゴリズムに関する情報が含まれてよい。
【０１０３】
ここで、（１１Ｂ）ｓｃｇ−ＣｏｎｆｉｇＰａｒｔＳＣＧ、あるいは（１１Ｂ）ｓｃｇ−ＣｏｎｆｉｇＰａｒｔＳＣＧに含まれる情報要素の何れかに、端末装置２が再設定されたセカンダリセルグループのセル（ＰＳＣｅｌｌまたはすべてのＳＣｅｌｌ）で送信する（１）ランダムアクセスプリアンブル、（２）ＰＵＣＣＨ、（３）ＰＵＳＣＨ、端末装置２が再設定されたセカンダリセルグループのセル（ＰＳＣｅｌｌまたはすべてのＳＣｅｌｌ）で受信する（１）同期信号、（２）ランダムアクセス応答のメッセージを含むＰＤＳＣＨを受信するためのＰＤＣＣＨ、（３）ランダムアクセス応答のメッセージを含むＰＤＳＣＨ、（４）呼び出し（ページング）のメッセージを含むＰＤＳＣＨを受信するためのＰＤＣＣＨ、（５）呼び出し（ページング）のメッセージを含むＰＤＳＣＨ、の一部または全部に対するヌメロロジーを特定する情報が含まれてもよい。
【０１０４】
例えば、（１２Ｅ）ｍｏｂｉｌｉｔｙＣｏｎｔｒｏｌＩｎｆｏＳＣＧに含まれる、端末装置２に対して割り当てられる個別のランダムアクセスパラメータを特定するために使われる情報の一部として、プリアンブルの送信に用いられるヌメロロジーの情報が含まれてもよい。また、セカンダリセルグループのセルで共通のヌメロロジーが用いられる場合、（１２Ｂ）ｐＳＣｅｌｌＴｏＡｄｄＭｏｄに、ＰＳＣｅｌｌ（またはセカンダリセルグループのセルで共通）の、上述のシグナルおよび／またはチャネルの送信／受信に用いられるヌメロロジーの情報が含まれてもよい。また、セカンダリセルグループのセルで独立したヌメロロジーが用いられる場合、（１２Ｂ）ｐＳＣｅｌｌＴｏＡｄｄＭｏｄおよび／または（１２Ｃ）ｓＣｅｌｌＴｏＡｄｄＭｏｄＬｉｓｔＳＣＧの各ＳＣｅｌｌ情報に、ＳＣｅｌｌ毎の、上述のシグナルおよび／またはチャネルの送信に用いられるヌメロロジーの情報が含まれてもよい。
【０１０５】
また、ＲＲＣ接続再設定メッセージ（例えば、（８Ｅ）ｒａｄｉｏＲｅｓｏｕｒｃｅＣｏｎｆｉｇＤｅｄｉｃａｔｅｄと、（１２Ａ）ｒａｄｉｏＲｅｓｏｕｒｃｅＣｏｎｆｉｇＤｅｄｉｃａｔｅｄＳＣＧの各ＭＡＣ層の設定情報）にヌメロロジーの情報を含めることにより、それぞれのセル（またはセルグループ）で用いられるヌメロロジーを指定することができる。
【０１０６】
なお、上記メッセージは一例であり、ＲＲＣ接続再設定メッセージは上記ＲＲＣ接続再設定メッセージ以外の情報を含んでもよいし、上記ＲＲＣ接続再設定メッセージの一部の情報を含まなくてもよい。また、ＲＲＣ接続再設定メッセージは、上記ＲＲＣ接続再設定メッセージとは異なる構造、情報要素名、あるいはパラメータ名でもよい。
【０１０７】
セカンダリセル追加要求承認メッセージを受け取った第１の基地局装置３は、端末装置２に対して、前記端末装置２に対する設定を含むＲＲＣ接続再設定メッセージ（ＲＲＣＣｏｎｎｅｃｔｉｏｎＲｅｃｏｎｆｉｇｕｒａｔｉｏｎ）を通知することによって、第２のセルの追加を伴うセカンダリセルグループ設定を端末装置２に指示する（ステップＳ７３）。
【０１０８】
ＲＲＣ接続再設定メッセージを受け取り、そのＲＲＣ接続再設定メッセージを含む設定に従うことができる端末装置２は、ＲＲＣ接続再設定完了メッセージ（ＲＲＣＣｏｎｎｅｃｔｉｏｎＲｅｃｏｎｆｉｇｕｒａｔｉｏｎＣｏｍｐｌｅｔｅ）を第１の基地局装置３に送信する（ステップＳ７４）。さらにＲＲＣ接続再設定メッセージの情報に基づいて、以下の再設定処理を開始する（ステップＳ７６）。また、ＲＲＣ接続再設定完了メッセージ（ＲＲＣＣｏｎｎｅｃｔｉｏｎＲｅｃｏｎｆｉｇｕｒａｔｉｏｎＣｏｍｐｌｅｔｅ）を受け取った第１の基地局装置３は、第２の基地局装置３に再設定完了メッセージ（ＳｅＮＢ
Ｒｅｃｏｎｆｉｇｕｒａｔｉｏｎ  Ｃｏｍｐｌｅｔｅ）を通知する（ステップＳ７５）。
【０１０９】
ステップＳ７６の再設定処理において、端末装置２は、ＲＲＣ接続再設定メッセージにセカンダリセルグループのモビリティ制御情報が含まれ、マスターセルグループのモビリティ制御情報が含まれない（ハンドオーバではない）場合、あるいはＲＲＣ接続再設定メッセージに含まれるセカンダリセルグループの設定が解放するよう設定されている場合、設定に基づきセカンダリセルグループのＭＡＣ層の機能をリセットしてよい。また、端末装置２は、ＲＲＣ接続再設定メッセージにセカンダリセルグループのモビリティ制御情報が含まれ、マスターセルグループのモビリティ制御情報が含まれない（ハンドオーバではない）場合、あるいはＲＲＣ接続再設定メッセージに含まれるセカンダリセルグループの設定が解放するよう設定されている場合に、ＰＤＣＰ層を再確立またはデータリカバリーしてよい。また、端末装置２は、ＲＲＣ接続再設定メッセージにセカンダリセルグループのモビリティ制御情報が含まれる場合、あるいはＲＲＣ接続再設定メッセージに含まれるセカンダリセルグループの設定が解放するよう設定されている場合に、マスターセルグループのＲＬＣ層および／またはセカンダリセルグループのＲＬＣ層を再確立してよい。また、端末装置２は、ＲＲＣ接続再設定メッセージにセカンダリセルグループのモビリティ制御情報が含まれ、マスターセルグループのモビリティ制御情報が含まれない（ハンドオーバではない）場合、あるいはＲＲＣ接続再設定メッセージに含まれるセカンダリセルグループの設定が解放するよう設定されている場合に、セカンダリセルグループのＳＣｅｌｌのうち、ＰＳＣｅｌｌを除く他のセルを不活性状態としてよい。
【０１１０】
また、ステップＳ７６の再設定処理において、端末装置２は、受信したセカンダリセルグループの設定が解放するように設定されている場合、ＤＲＢ設定を除くセカンダリセルグループの設定を解放して、セカンダリセルグループに関するタイマーを停止してよい。
【０１１１】
また、ステップＳ７６の再設定処理において、端末装置２は、ＲＲＣ接続再設定メッセージに端末装置２固有の無線リソース設定が含まれる場合、固有の無線リソース設定を再設定してよい。また、端末装置２は、ＲＲＣ接続再設定メッセージにＰＳＣｅｌｌとなるセルの追加／変更情報が含まれる場合、ＰＳＣｅｌｌの追加または変更を実行する。また、端末装置２は、ＲＲＣ接続再設定メッセージにセカンダリセルグループのＳＣｅｌｌとなるセルの追加／変更情報が含まれる場合、セカンダリセルグループのＳＣｅｌｌの追加または変更を実行してよい。また、端末装置２は、ＲＲＣ接続再設定メッセージにセカンダリセルグループのＳＣｅｌｌを解放するための情報が含まれる場合、セカンダリセルグループのＳＣｅｌｌの解放を実行してよい。
【０１１２】
そして、端末装置２は、ＲＲＣ接続再設定メッセージにセカンダリセルグループのモビリティ制御情報が含まれる場合、ターゲットとなるＰＳＣｅｌｌ（第２のセル）への下りリンクの同期を開始してよい。
【０１１３】
ここで端末装置２は、同期信号のヌメロロジー情報がＲＲＣ接続再設定メッセージに含まれる場合、その情報に基づき、同期信号を検出してもよい。同期信号のヌメロロジー情報がＲＲＣ接続再設定メッセージで提供されない場合、端末装置２は、予め定められたヌ
メロロジーを用いて同期信号の検出を試みてもよい。これにより、ターゲットセルの同期信号に用いられる可能性があるヌメロロジーが複数あるような場合に検出する同期信号のヌメロロジーを一意に指定できる。
【０１１４】
そして、端末装置２は、上りリンクデータを送信するためにランダムアクセス手順を開始し、ランダムアクセスプリアンブルを送信する。ランダムアクセスプリアンブルを受信した第２の基地局装置３は、端末装置２の送信タイミングのずれを検出し、ずれを補正するための情報（タイミングアドバンスコマンド）を含むランダムアクセス応答を端末装置２に送信する（ステップＳ７７）。ランダムアクセスプリアンブルのヌメロロジー情報がＲＲＣ接続再設定メッセージに含まれる場合、端末装置２は、その情報に基づき、ランダムアクセスプリアンブルを送信してもよい。ランダムアクセスプリアンブルのヌメロロジー情報がＲＲＣ接続再設定メッセージで提供されない場合、端末装置２は、予め定められたヌメロロジーを用いてランダムアクセスプリアンブルを送信してもよい。これにより、ターゲットセルで複数のヌメロロジーがサポートされている場合に端末装置２ごとに適切なヌメロロジーを設定することができる。また、ランダムアクセス応答の受信のためのヌメロロジー情報がＲＲＣ接続再設定メッセージに含まれる場合、端末装置２は、その情報に基づき、ランダムアクセス応答を受信してもよい。ランダムアクセス応答の受信のためのヌメロロジー情報がＲＲＣ接続再設定メッセージで提供されない場合、端末装置２は、予め定められたヌメロロジーまたは同期した同期信号と同じヌメロロジーを用いてランダムアクセス応答を受信してもよい。これにより、ターゲットセルで複数のヌメロロジーがサポートされている場合に端末装置２ごとに適切なヌメロロジーを設定することができる。
【０１１５】
次に、セカンダリセルグループが第１のセルを含む場合（例えばＰＣｅｌｌとＰＳＣｅｌｌが同じセルの場合）におけるヌメロロジーの設定（追加または変更）について説明する。
【０１１６】
ヌメロロジーの設定は、第２層（ＰＤＣＰ層、ＲＬＣ層および／またはＭＡＣ層）の一部のリセットまたは再確立（Ｒｅ−ｅｓｔａｂｌｉｓｈｍｅｎｔ）を伴わなくてよい。また、ヌメロロジーの設定は、ＰＳＣｅｌｌでのランダムアクセスの実行を伴わなくてよい。また、セカンダリセルグループの設定は、第２層の一部のリセットおよび／または再確立を含まないセカンダリセルグループ再設定プロシージャ（ランダムアクセスを伴わないプロシージャ）であってよい。端末装置２は、セカンダリセルグループに対するモビリティ制御情報（ｍｏｂｉｌｉｔｙＣｏｎｔｒｏｌＩｎｆｏＳＣＧ）を含むＲＲＣ接続再設定メッセージを受信することでセカンダリセルグループの設定に関連する動作を実行してもよい。
【０１１７】
コネクティッド状態ではネットワークが端末装置２のモビリティを制御する。また、不活動状態でネットワークが端末装置２のモビリティを制御してもよい。ネットワーク制御のモビリティにおいて、モビリティ制御情報を含むＲＲＣ接続再設定メッセージを用いてＰＣｅｌｌが変更されてもよい。また、ネットワーク制御のモビリティにおいて、モビリティ制御情報を含む（または含まない）ＲＲＣ接続再設定メッセージを用いて（ＰＳＣｅｌｌを含む）ＳＣｅｌｌが変更されてもよい。
【０１１８】
また、セカンダリセルグループのモビリティ制御情報を含む（または含まない）ＲＲＣ接続再設定メッセージを用いてセカンダリセルグループが確立、再設定、または解放されてもよい。また、セカンダリセルグループの再設定において、ＰＳＣｅｌｌへのランダムアクセスが必要な場合、セカンダリセルグループの変更プロシージャ（すなわち、ｍｏｂｉｌｉｔｙＣｏｎｔｒｏｌＩｎｆｏＳＣＧを含むＲＲＣ接続再設定メッセージ）が用いられてもよい。
【０１１９】
図１３において、まず第１の基地局装置３は、端末装置２に対して設定されるＲＲＣ接続再設定メッセージを生成する。生成されるＲＲＣ接続再設定メッセージは、セカンダリセルグループが第１のセルを含まない場合と同じ構成でよい。
【０１２０】
第１の基地局装置３は、端末装置２に対して、前記端末装置２に対する設定を含むＲＲＣ接続再設定メッセージ（ＲＲＣＣｏｎｎｅｃｔｉｏｎＲｅｃｏｎｆｉｇｕｒａｔｉｏｎ）を通知することによって、第２のセルの追加を伴うセカンダリセルグループ設定を端末装置２に指示する（ステップＳ１３１）。
【０１２１】
ＲＲＣ接続再設定メッセージを受け取り、そのＲＲＣ接続再設定メッセージを含む設定に従うことができる端末装置２は、ＲＲＣ接続再設定完了メッセージ（ＲＲＣＣｏｎｎｅｃｔｉｏｎＲｅｃｏｎｆｉｇｕｒａｔｉｏｎＣｏｍｐｌｅｔｅ）を第１の基地局装置３に送信する（ステップＳ１３２）。さらにＲＲＣ接続再設定メッセージの情報に基づいて、以下の再設定処理を開始する（ステップＳ１３３）。
【０１２２】
ステップＳ１３３の再設定処理において、端末装置２は、ＲＲＣ接続再設定メッセージにセカンダリセルグループのモビリティ制御情報が含まれ、マスターセルグループのモビリティ制御情報が含まれない（ハンドオーバではない）場合、あるいはＲＲＣ接続再設定メッセージに含まれるセカンダリセルグループの設定が解放するよう設定されている場合、設定に基づきセカンダリセルグループのＭＡＣ層の機能をリセットしてよい。ＲＲＣ接続再設定メッセージにセカンダリセルグループのモビリティ制御情報が含まれ、マスターセルグループのモビリティ制御情報が含まれない（ハンドオーバではない）場合、あるいはＲＲＣ接続再設定メッセージに含まれるセカンダリセルグループの設定が解放するよう設定されている場合であっても、ＰＣｅｌｌとＰＳＣｅｌｌが同じセルである場合（あるいは、ＲＲＣ接続再設定メッセージで同一セルへの設定を指示された場合）、端末装置２は、ＰＤＣＰ層を再確立またはデータリカバリーしなくてよい。ただし、例えば、既にＰＳＣｅｌｌにＰＣｅｌｌと異なるセルが設定された状態から、ＰＳＣｅｌｌがＰＣｅｌｌと同じセルに変更された状況などにおいて、ＭＣＧとＳＣＧの両方に分けられた（Ｓｐｌｉｔされた）ＤＲＢ（Ｓｐｌｉｔ  ＤＲＢ）および／またはＳＣＧのみのＤＲＢ（ＳＣＧ
ＤＲＢ）が存在していた場合、ＰＤＣＰ層のデータリカバリーを実行してよい。また、例えば、既にＰＳＣｅｌｌにＰＣｅｌｌと同じセルが設定された状態から、ＰＳＣｅｌｌがＰＣｅｌｌと異なるセルに変更された状況などにおいて、ＲＲＣ接続再設定メッセージに、ＭＣＧとＳＣＧの両方に分けられる（Ｓｐｌｉｔされた）ＤＲＢ（Ｓｐｌｉｔ  ＤＲＢ）が存在する場合、端末装置２は、ＰＤＣＰ層のデータリカバリーを実行してよい。また、端末装置２は、ＲＲＣ接続再設定メッセージにセカンダリセルグループのモビリティ制御情報が含まれる場合、あるいはＲＲＣ接続再設定メッセージに含まれるセカンダリセルグループの設定が解放するよう設定されている場合に、マスターセルグループのＲＬＣ層および／またはセカンダリセルグループのＲＬＣ層を再確立してよい。また、端末装置２は、ＲＲＣ接続再設定メッセージにセカンダリセルグループのモビリティ制御情報が含まれ、マスターセルグループのモビリティ制御情報が含まれない（ハンドオーバではない）場合、あるいはＲＲＣ接続再設定メッセージに含まれるセカンダリセルグループの設定が解放するよう設定されている場合に、セカンダリセルグループのＳＣｅｌｌのうち、ＰＳＣｅｌｌを除く他のセルを不活性状態としてよい。
【０１２３】
また、ステップＳ１３３の再設定処理において、端末装置２は、受信したセカンダリセルグループの設定が解放するように設定されている場合、ＤＲＢ設定を除くセカンダリセルグループの設定を解放して、セカンダリセルグループに関するタイマーを停止してよい。
【０１２４】
また、ステップＳ１３３の再設定処理において、端末装置２は、ＲＲＣ接続再設定メッセージに端末装置２固有の無線リソース設定が含まれる場合、固有の無線リソース設定を再設定してよい。また、端末装置２は、ＲＲＣ接続再設定メッセージにＰＳＣｅｌｌとなるセルの追加／変更情報が含まれる場合、ＰＳＣｅｌｌの追加または変更を実行する。また、端末装置２は、ＲＲＣ接続再設定メッセージにセカンダリセルグループのＳＣｅｌｌとなるセルの追加／変更情報が含まれる場合、セカンダリセルグループのＳＣｅｌｌの追加または変更を実行してよい。また、端末装置２は、ＲＲＣ接続再設定メッセージにセカンダリセルグループのＳＣｅｌｌを解放するための情報が含まれる場合、セカンダリセルグループのＳＣｅｌｌの解放を実行してよい。
【０１２５】
端末装置２は、ＲＲＣ接続再設定メッセージにセカンダリセルグループのモビリティ制御情報が含まれる場合であっても、ターゲットとなるＰＳＣｅｌｌ（第１のセル）の下りリンクは同期済のため、新たに同期を開始する必要はないが、新たなヌメロロジー情報に基づく下りリンク同期を開始してもよい。
【０１２６】
ここで端末装置２は、同期信号のヌメロロジー情報がＲＲＣ接続再設定メッセージに含まれる場合、その情報に基づき、同期信号を検出してもよい。同期信号のヌメロロジー情報がＲＲＣ接続再設定メッセージで提供されない場合、端末装置２は、予め定められたヌメロロジーを用いて同期信号の検出を試みてもよい。これにより、ターゲットセルの同期信号に用いられる可能性があるヌメロロジーが複数あるような場合に検出する同期信号のヌメロロジーを一意に指定できる。
【０１２７】
また、端末装置２は、上りリンクデータを送信するためにランダムアクセス手順を開始し、ランダムアクセスプリアンブルを送信してもよい。ランダムアクセスプリアンブルを受信した第３の基地局装置３は、端末装置２の送信タイミングのずれを検出し、ずれを補正するための情報（タイミングアドバンスコマンド）を含むランダムアクセス応答を端末装置２に送信してもよい（ステップＳ１３４）。ランダムアクセスプリアンブルのヌメロロジー情報がＲＲＣ接続再設定メッセージに含まれる場合、端末装置２は、その情報に基づき、ランダムアクセスプリアンブルを送信してもよい。ランダムアクセスプリアンブルのヌメロロジー情報がＲＲＣ接続再設定メッセージで提供されない場合、端末装置２は、予め定められたヌメロロジーを用いてランダムアクセスプリアンブルを送信してもよい。
【０１２８】
これにより、ターゲットセルで複数のヌメロロジーがサポートされている場合に端末装置２ごとに適切なヌメロロジーを設定することができる。また、ランダムアクセス応答の受信のためのヌメロロジー情報がＲＲＣ接続再設定メッセージに含まれる場合、端末装置２は、その情報に基づき、ランダムアクセス応答を受信してもよい。ランダムアクセス応答の受信のためのヌメロロジー情報がＲＲＣ接続再設定メッセージで提供されない場合、端末装置２は、予め定められたヌメロロジーまたは同期した同期信号と同じヌメロロジーを用いてランダムアクセス応答を受信してもよい。これにより、ターゲットセルで複数のヌメロロジーがサポートされている場合に端末装置２ごとに適切なヌメロロジーを設定することができる。
【０１２９】
また、端末装置２は、ＰＳＣｅｌｌとの下りリンクおよび／または上りリンクとの同期後にＲＲＣ接続再設定完了メッセージ（ＲＲＣＣｏｎｎｅｃｔｉｏｎＲｅｃｏｎｆｉｇｕｒａｔｉｏｎＣｏｍｐｌｅｔｅ）を第１の基地局装置３に送信してもよい。なお、この場合、ＲＲＣ接続再設定完了メッセージは、（ＳＲＢの送信リソースが割り当てられる）ＰＣｅｌｌで送信してよい。
【０１３０】
このように、ＲＲＣ接続再設定メッセージのＭＣＧの設定およびＳＣＧの設定（例えば、（８Ｅ）ｒａｄｉｏＲｅｓｏｕｒｃｅＣｏｎｆｉｇＤｅｄｉｃａｔｅｄと、（１２Ａ）
ｒａｄｉｏＲｅｓｏｕｒｃｅＣｏｎｆｉｇＤｅｄｉｃａｔｅｄＳＣＧの各ＭＡＣ層の設定情報）にヌメロロジーの情報を含めることにより、第１のセルで用いられる複数のヌメロロジーを指定することができる。
【０１３１】
また、ＳＣＧが解放される場合、ＳＣＧのＭＡＣエンティティに割り当てられていたＤＲＢ（および／またはＳＲＢ）は、デフォルトの（ＭＣＧのＭＡＣエンティティ）に再割り当てされるようにしてもよい。このとき、再割り当てされるＭＡＣエンティティに関連するＭＡＣ層をリセットしてもよい。また、解放されるＭＡＣエンティティ、および／または再割り当てされるＭＡＣエンティティに関連するＲＬＣ層を再確立してもよい。
【０１３２】
第１のセルで用いられる複数のヌメロロジーを通知する他の方法を以下に示す。
【０１３３】
図１４は、上記（８Ｅ）ｒａｄｉｏＲｅｓｏｕｒｃｅＣｏｎｆｉｇＤｅｄｉｃａｔｅｄの一例を示す図であり、（１４Ａ）ｓｒｂ−ＴｏＡｄｄＭｏｄＬｉｓｔ、（１４Ｂ）ｄｒｂ−ＴｏＡｄｄＭｏｄＬｉｓｔ、（１４Ｃ）ｄｒｂ−ＴｏＲｅｌｅａｓｅＬｉｓｔ、（１４Ｄ）ｍａｃ−ＭａｉｎＣｏｎｆｉｇ、（１４Ｅ）ｐｈｙｓｉｃａｌＣｏｎｆｉｇＤｅｄｉｃａｔｅｄが含まれる。（１４Ａ）ｓｒｂ−ＴｏＡｄｄＭｏｄＬｉｓｔ、（１４Ｂ）ｄｒｂ−ＴｏＡｄｄＭｏｄＬｉｓｔ、および（１４Ｃ）ｄｒｂ−ＴｏＲｅｌｅａｓｅＬｉｓｔは、ＳＲＢやＤＲＢの設定、変更、および／または解放に使われる情報である。（１４Ｄ）ｍａｃ−ＭａｉｎＣｏｎｆｉｇは、ＭＡＣ層の設定を変更するための情報である。（１４Ｅ）ｐｈｙｓｉｃａｌＣｏｎｆｉｇＤｅｄｉｃａｔｅｄは、物理層のチャネル設定に関する情報である。
【０１３４】
この（８Ｅ）ｒａｄｉｏＲｅｓｏｕｒｃｅＣｏｎｆｉｇＤｅｄｉｃａｔｅｄを拡張することで、複数のヌメロロジーを通知する例を、図１５、図１６を用いて説明する。
【０１３５】
図１５は、１つのセルで２つのＭＡＣエンティティをサポートする場合の各ＭＡＣエンティティの情報を通知する一例を示す図である。
【０１３６】
図１５において、ｍ−ｍａｃ−ＭａｉｎＣｏｎｆｉｇとｓ−ｍａｃ−ＭａｉｎＣｏｎｆｉｇは、それぞれＭＡＣエンティティの設定を含み、さらにそのＭＡＣエンティティを用いて送受信されるＤＲＢ（および／またはＳＲＢ）の情報を含んでよい。例えば、ｄｒｂ−ＴｏＡｄｄＭｏｄＬｉｓｔに含まれる各ＤＲＢを識別するための識別子（ｄｒｂＩｄｅｎｔｉｔｙ）やｓｒｂ−ＴｏＡｄｄＭｏｄＬｉｓｔに含まれる各ＳＲＢを識別するための識別子（ｓｒｂＩｄｅｎｔｉｔｙ）の一部あるいは全部をリストとしてｍ−ｍａｃ−ＭａｉｎＣｏｎｆｉｇとｓ−ｍａｃ−ＭａｉｎＣｏｎｆｉｇのそれぞれに含めてよい。これにより、何れの（または両方の）ＭＡＣエンティティを用いてＤＲＢ（および／またはＳＲＢ）を送受信するのかを指定することができる。また、何れの設定にも含まれないＤＲＢ（および／またはＳＲＢ）をデフォルトの（例えばｍ−ｍａｃ−ＭａｉｎＣｏｎｆｉｇで設定されるＭＡＣエンティティ）に割り当てるようにしてもよい。これにより、シグナリングを低減することができる。
【０１３７】
また、ｓ−ｍａｃ−ＭａｉｎＣｏｎｆｉｇが解放される場合、ｓ−ｍａｃ−ＭａｉｎＣｏｎｆｉｇで指定されたＭＡＣエンティティに割り当てられていたＤＲＢ（および／またはＳＲＢ）は、デフォルトの（例えばｍ−ｍａｃ−ＭａｉｎＣｏｎｆｉｇで指定されるＭＡＣエンティティ）に再割り当てされるようにしてもよい。このとき、再割り当てされるＭＡＣエンティティに関連するＭＡＣ層をリセットしてもよい。また、解放されるＭＡＣエンティティ、および／または再割り当てされるＭＡＣエンティティに関連するＲＬＣ層を再確立してもよい。
【０１３８】
図１６は、１つのセルで２つのＭＡＣエンティティをサポートする場合の各ＭＡＣエンティティの情報を通知する別の一例を示す図である。
【０１３９】
図１６において、ｍａｃ−ＭａｉｎＣｏｎｆｉｇは、１以上のＭＡＣエンティティの設定を含み、各ＭＡＣエンティティの設定には、その設定を識別するための識別子（ｍａｃＣｏｎｆＩｄｅｎｔｉｔｙ）を含んでよい。さらに、ｄｒｂＩｄｅｎｔｉｔｙやｓｒｂＩｄｅｎｔｉｔｙと、ｍａｃＣｏｎｆＩｄｅｎｔｉｔｙとを紐づける情報が、ｍａｃＩｄＴｏＡｄｄＭｏｄＬｉｓｔとして含まれてもよい。また、各紐づけられた情報を識別する識別子（ｍａｃＩｄ）がｍａｃＩｄＴｏＡｄｄＭｏｄＬｉｓｔに含まれてよい。さらに、その紐づけを削除（解放）するための情報として、削除する１つ以上のｍａｃＩｄを含むリストがｍａｃＩｄＴｏＲｅｍｏｖｅＬｉｓｔとして含まれてよい。これにより、（１つまたは複数の）どのＭＡＣエンティティを用いてＤＲＢ（および／またはＳＲＢ）を送受信するのかを指定することができる。また、何れの設定にも含まれないＤＲＢ（および／またはＳＲＢ）をデフォルトの（例えば既定のｍａｃＣｏｎｆＩｄｅｎｔｉｔｙで指定されるＭＡＣエンティティ）に割り当てるようにしてもよい。これにより、シグナリングを低減することができる。
【０１４０】
また、ｍａｃＩｄＴｏＲｅｍｏｖｅＬｉｓｔで指定されたＭＡＣエンティティに割り当てられていたＤＲＢ（および／またはＳＲＢ）は、デフォルトの（例えば既定のｍａｃＣｏｎｆＩｄｅｎｔｉｔｙで指定されるＭＡＣエンティティ）に再割り当てされるようにしてもよい。このとき、再割り当てされるＭＡＣエンティティに関連するＭＡＣ層をリセットしてもよい。また、解放されるＭＡＣエンティティ、および／または再割り当てされるＭＡＣエンティティに関連するＲＬＣ層を再確立してもよい。
【０１４１】
なお、上記実施例において、基地局装置３は、ＰＣｅｌｌとＰＳＣｅｌｌとが同じセルの場合には、ＲＲＣ接続再設定メッセージにセカンダリセルグループのモビリティ制御情報（ＭｏｂｉｌｉｔｙＣｏｎｔｒｏｌＩｎｆｏＳＣＧ）を含めず、ＰＣｅｌｌとＰＳＣｅｌｌとが異なるセル（および／または異なる周波数）の場合には、ＲＲＣ接続再設定メッセージにセカンダリセルグループのモビリティ制御情報（ＭｏｂｉｌｉｔｙＣｏｎｔｒｏｌＩｎｆｏＳＣＧ）を含めるようにしてもよい。これにより、不要なシグナリングを避けることができる。
【０１４２】
また、上記実施例において、端末装置２は、基地局装置３に対して通知する端末装置２の無線アクセス能力情報（ＵＥＣａｐａｂｉｌｉｔｙＩｎｆｏｒｍａｔｉｏｎ）に以下の情報（Ａ）から（Ｄ）の一部あるいは全部を含めてよい。
（Ａ）サポートする最大のＭＡＣエンティティ数
（Ｂ）２つのＭＡＣエンティティをサポートしているか否か
（Ｃ）Ｄｕａｌ  Ｃｏｎｎｅｃｔｉｖｉｔｙで同一の周波数帯のＰＳＣｅｌｌをサポートするか否か（Ｉｎｔｒａ−ｆｒｅｑｕｅｎｃｙ  Ｄｕａｌ  Ｃｏｎｎｅｃｔｉｖｉｔｙをサポートしているか否か）
（Ｄ）上記（Ｃ）をサポートする端末装置２のカテゴリを示す情報
【０１４３】
これにより、基地局装置３が、端末装置２に対して適切な無線リソース設定を行うことができる。
【０１４４】
また、複数のヌメロロジーを単一のＭＡＣエンティティがサポートする場合、（１４Ｂ）ｄｒｂ−ＴｏＡｄｄＭｏｄＬｉｓｔの各ＤＲＢ設定に、複数のヌメロロジーのうち何れ（１つまたは複数）のヌメロロジーを用いるかを示す情報を含めてもよい。
【０１４５】
なお、前記説明において、便宜上、「ヌメロロジー」という単語を使用して説明してき
たが、システムで使用される以下のパラメータ（Ａ）から（Ｇ）の一部あるいは全部がヌメロロジーである。
（Ａ）サンプリングレート
（Ｂ）サブキャリア間隔
（Ｃ）サブフレーム長
（Ｄ）スケジューリングに用いられる時間の単位（送信時間間隔、ＴＴＩ：Ｔｒａｎｓｍｉｓｓｉｏｎ  Ｔｉｍｅ  Ｉｎｔｅｒｖａｌ）
（Ｅ）ＯＦＤＭシンボル長
（Ｆ）１サブフレームに含まれるＯＦＤＭシンボル数
（Ｇ）シグナルおよび／またはチャネルが送信されるアンテナポート
【０１４６】
上記実施例において、ＭＡＣ層の設定（例えば、上記各ｍａｃ−ＭａｉｎＣｏｎｆｉｇ）に送信時間間隔（ＴＴＩ）の情報が含まれてもよい。また、物理層のチャネル設定（例えば、ｒａｄｉｏＲｅｓｏｕｒｃｅＣｏｎｆｉｇＤｅｄｉｃａｔｅｄや、ｐｈｙｓｉｃａｌＣｏｎｆｉｇＤｅｄｉｃａｔｅｄ）に（信号および／またはチャネル毎の）サブキャリア間隔の情報および／または１サブフレームに含まれるＯＦＤＭシンボル数の情報が含まれてもよい。また、端末装置２の物理層から端末装置２のＭＡＣ層に対して、受信した下りリンクデータの送信時間間隔、および／または取得した上りリンク送信リソースの送信時間間隔の情報が通知されてもよい。これにより、端末装置２のＭＡＣ層において、送信時間間隔に基づいた適切なスケジューリングを行うことができる。
【０１４７】
本発明の実施形態における装置の構成について説明する。
【０１４８】
図２は、本実施形態の端末装置２の構成を示す概略ブロック図である。図示するように、端末装置２は、無線送受信部２０、および、上位層処理部２４を含んで構成される。無線送受信部２０は、アンテナ部２１、ＲＦ（Ｒａｄｉｏ  Ｆｒｅｑｕｅｎｃｙ）部２２、および、ベースバンド部２３を含んで構成される。上位層処理部２４は、媒体アクセス制御層処理部２５、および、無線リソース制御層処理部２６を含んで構成される。無線送受信部２０を送信部、受信部、または、物理層処理部とも称する。また様々な条件に基づき各部の動作を制御する制御部を別途備えてもよい。
【０１４９】
上位層処理部２４は、ユーザの操作等により生成された上りリンクデータ（トランスポートブロック）を、無線送受信部２０に出力する。上位層処理部２４は、媒体アクセス制御（ＭＡＣ：Ｍｅｄｉｕｍ  Ａｃｃｅｓｓ  Ｃｏｎｔｒｏｌ）層、パケットデータ統合プロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御（Ｒａｄｉｏ  Ｌｉｎｋ  Ｃｏｎｔｒｏｌ：ＲＬＣ）層、無線リソース制御（Ｒａｄｉｏ  Ｒｅｓｏｕｒｃｅ  Ｃｏｎｔｒｏｌ：ＲＲＣ）層の一部あるいはすべての処理を行なう。
【０１５０】
上位層処理部２４が備える媒体アクセス制御層処理部２５は、媒体アクセス制御層の処理を行う。媒体アクセス制御層処理部２５は、無線リソース制御層処理部２６によって管理されている各種設定情報／パラメータに基づいて、スケジューリングリクエストの伝送の制御を行う。
【０１５１】
上位層処理部２４が備える無線リソース制御層処理部２６は、無線リソース制御層の処理を行う。無線リソース制御層処理部２６は、自装置の各種設定情報／パラメータの管理をする。無線リソース制御層処理部２６は、基地局装置３から受信した上位層の信号に基づいて各種設定情報／パラメータをセットする。すなわち、無線リソース制御層処理部２６は、基地局装置３から受信した各種設定情報／パラメータを示す情報に基づいて各種設定情報／パラメータをセットする。
【０１５２】
無線送受信部２０は、変調、復調、符号化、復号化などの物理層の処理を行う。無線送受信部２０は、基地局装置３から受信した信号を、分離、復調、復号し、復号した情報を上位層処理部２４に出力する。無線送受信部２０は、データを変調、符号化することによって送信信号を生成し、基地局装置３に送信する。
【０１５３】
ＲＦ部２２は、アンテナ部２１を介して受信した信号を、直交復調によりベースバンド信号に変換し（ダウンコンバート: ｄｏｗｎ  ｃｏｖｅｒｔ）、不要な周波数成分を除去する。ＲＦ部２２は、処理をしたアナログ信号をベースバンド部に出力する。
【０１５４】
ベースバンド部２３は、ＲＦ部２２から入力されたアナログ信号を、アナログ信号をデジタル信号に変換する。ベースバンド部２３は、変換したデジタル信号からＣＰ（Cyclic
Prefix）に相当する部分を除去し、ＣＰを除去した信号に対して高速フーリエ変換（Ｆ
ａｓｔ  Ｆｏｕｒｉｅｒ  Ｔｒａｎｓｆｏｒｍ：ＦＦＴ）を行い、周波数領域の信号を抽出する。
【０１５５】
ベースバンド部２３は、データを逆高速フーリエ変換（Ｉｎｖｅｒｓｅ  Ｆａｓｔ  Ｆｏｕｒｉｅｒ  Ｔｒａｎｓｆｏｒｍ：ＩＦＦＴ）して、ＳＣ−ＦＤＭＡシンボルを生成し、生成されたＳＣ−ＦＤＭＡシンボルにＣＰを付加し、ベースバンドのデジタル信号を生成し、ベースバンドのデジタル信号をアナログ信号に変換する。ベースバンド部２３は、変換したアナログ信号をＲＦ部２２に出力する。
【０１５６】
ＲＦ部２２は、ローパスフィルタを用いてベースバンド部２３から入力されたアナログ信号から余分な周波数成分を除去し、アナログ信号を搬送波周波数にアップコンバート（ｕｐ  ｃｏｎｖｅｒｔ）し、アンテナ部２１を介して送信する。また、ＲＦ部２２は、電力を増幅する。また、ＲＦ部２２は送信電力を制御する機能を備えてもよい。ＲＦ部２２を送信電力制御部とも称する。
【０１５７】
なお、端末装置２は、複数の周波数（周波数帯、周波数帯域幅）またはセルの同一サブフレーム内での送受信処理をサポートするために各部の一部あるいはすべてを複数備える構成であってもよい。
【０１５８】
図３は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。また様々な条件に基づき各部の動作を制御する制御部を別途備えてもよい。
【０１５９】
上位層処理部３４は、媒体アクセス制御（ＭＡＣ： Ｍｅｄｉｕｍ  Ａｃｃｅｓｓ  Ｃ
ｏｎｔｒｏｌ）層、パケットデータ統合プロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御（Ｒａｄｉｏ  Ｌｉｎｋ  Ｃｏｎｔｒｏｌ：ＲＬＣ）層、無線リソース制御（Ｒａｄｉｏ  Ｒｅｓｏｕｒｃｅ
Ｃｏｎｔｒｏｌ：ＲＲＣ）層の一部あるいはすべての処理を行なう。
【０１６０】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、スケジューリングリクエストに関する処理を行う。
【０１６１】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Ｃｏｎｔｒｏｌ  Ｅｌｅｍｅｎｔ）などを生成し、又は上位ノードから取得し、無線送受信部３０に出力する。また、無線リソース制御層処理部３６は、端末装置２各々の各種設定情報／パラメータの管理をする。無線リソース制御層処理部３６は、上位層の信号を介して端末装置２各々に対して各種設定情報／パラメータをセットしてもよい。すなわち、無線リソース制御層処理部３６は、各種設定情報／パラメータを示す情報を送信／報知する。
【０１６２】
無線送受信部３０の機能は、無線送受信部２０と同様であるため説明を省略する。なお、基地局装置３が１または複数の送受信点４と接続している場合、無線送受信部３０の機能の一部あるいは全部が、各送受信点４に含まれてもよい。
【０１６３】
また、上位層処理部３４は、基地局装置３間あるいは上位のネットワーク装置（ＭＭＥ、Ｓ−ＧＷ（Ｓｅｒｖｉｎｇ−ＧＷ））と基地局装置３との間の制御メッセージ、またはユーザデータの送信（転送）または受信を行なう。図３において、その他の基地局装置３の構成要素や、構成要素間のデータ（制御情報）の伝送経路については省略してあるが、基地局装置３として動作するために必要なその他の機能を有する複数のブロックを構成要素として持つことは明らかである。例えば、無線リソース制御層処理部３６の上位には、無線リソース管理（Ｒａｄｉｏ  Ｒｅｓｏｕｒｃｅ  Ｍａｎａｇｅｍｅｎｔ）層処理部や、アプリケーション層処理部が存在している。
【０１６４】
なお、図中の「部」とは、セクション、回路、構成装置、デバイス、ユニットなど用語によっても表現される、端末装置２および基地局装置３の機能および各手順を実現する要素である。
【０１６５】
端末装置２が備える符号２０から符号２６が付された部のそれぞれは、回路として構成されてもよい。基地局装置３が備える符号３０から符号３６が付された部のそれぞれは、回路として構成されてもよい。
【０１６６】
本発明の実施形態における、端末装置２および基地局装置３の種々の態様について説明する。
【０１６７】
（１）本発明の第１の態様は、基地局装置とセルを介して通信する端末装置であって、前記基地局装置から無線リソース制御（ＲＲＣ）接続再設定メッセージを受信する受信部と、前記無線リソース制御接続再設定メッセージに含まれるパラメータ設定に基づき、パラメータの設定を行う制御部を備え、前記パラメータ設定は、複数のセルグループ毎の、対象セルの識別子情報、サブキャリア間隔に関する設定、スケジューリングの最小単位の時間長に関する情報および／またはスロット長を示す情報を少なくとも含み、前記複数のセルグループに同一のセルが含まれない場合に、ＰＤＣＰ層の再確立またはデータリカバリーを実行し、前記複数のセルグループに同一のセルが含まれる場合に、ＰＤＣＰ層のデータリカバリーを実行しない。
【０１６８】
（２）本発明の第２の態様は、端末装置とセルを介して通信する基地局装置であって、前記端末装置から無線アクセス能力の情報を受信する受信部と、前記端末装置に無線リソース制御（ＲＲＣ）接続再設定メッセージを送信する送信部と、前記無線リソース制御接続再設定メッセージに含まれるパラメータ設定を生成する制御部を備え、前記パラメータ設定は、複数のセルグループ毎の、対象セルの識別子情報、サブキャリア間隔に関する設
定、スケジューリングの最小単位の時間長に関する情報および／またはスロット長を示す情報を少なくとも含み、前記無線アクセス能力の情報に基づき、前記複数のセルグループに同一のセルを含めることができるか否かを判断する。
【０１６９】
（３）本発明の第３の態様は、基地局装置とセルを介して通信する端末装置に適用される通信方法であって、前記基地局装置から無線リソース制御（ＲＲＣ）接続再設定メッセージを受信するステップと、前記無線リソース制御接続再設定メッセージに含まれるパラメータ設定に基づき、パラメータの設定を行うステップとを少なくとも含み、前記パラメータ設定は、複数のセルグループ毎の、対象セルの識別子情報、サブキャリア間隔に関する設定、スケジューリングの最小単位の時間長に関する情報および／またはスロット長を示す情報を少なくとも含み、前記複数のセルグループに同一のセルが含まれない場合に、ＰＤＣＰ層の再確立またはデータリカバリーを実行し、前記複数のセルグループに同一のセルが含まれる場合に、ＰＤＣＰ層のデータリカバリーを実行しない。
【０１７０】
（４）本発明の第４の態様は、基地局装置とセルを介して通信する端末装置に実装される集積回路であって、前記基地局装置から無線リソース制御（ＲＲＣ）接続再設定メッセージを受信する機能と、前記無線リソース制御接続再設定メッセージに含まれるパラメータ設定に基づき、パラメータの設定を行う機能とを前記端末装置に対して発揮させ、前記パラメータ設定は、複数のセルグループ毎の、対象セルの識別子情報、サブキャリア間隔に関する設定、スケジューリングの最小単位の時間長に関する情報および／またはスロット長を示す情報を少なくとも含み、前記複数のセルグループに同一のセルが含まれない場合に、ＰＤＣＰ層の再確立またはデータリカバリーを実行し、前記複数のセルグループに同一のセルが含まれる場合に、ＰＤＣＰ層のデータリカバリーを実行しない。
【０１７１】
これにより、端末装置 ２および基地局装置３は、効率的に通信を行うことができる。
【０１７２】
なお、以上説明した実施形態は単なる例示に過ぎず、様々な変形例、置換例を用いて実現することができる。例えば、上りリンク送信方式は、ＦＤＤ（周波数分割復信）方式とＴＤＤ（時分割復信）方式のどちらの通信システムに対しても適用可能である。また、実施形態で示される各パラメータや各イベントの名称は、説明の便宜上呼称しているものであって、実際に適用される名称と本発明の実施形態の名称とが異なっていても、本発明の実施形態において主張する発明の趣旨に影響するものではない。
【０１７３】
また、各実施形態で用いた「接続」とは、ある装置と別のある装置とを、物理的な回線を用いて直接接続される構成にだけ限定されるわけではなく、論理的に接続される構成や、無線技術を用いて無線接続される構成を含む。
【０１７４】
端末装置２は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置３は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）、ＮＲ  ＮＢ（ＮＲ  ＮｏｄｅＢ）、ＮＮＢ、ＴＲＰ（Ｔｒａｎｓｍｉｓｓｉｏｎ  ａｎｄ  Ｒｅｃｅｐｔｉｏｎ  Ｐｏｉｎｔ）、ｇＮＢ（ｎｅｘｔ  ｇｅｎｅｒａｔｉｏｎ  Ｎｏｄｅ  Ｂ）とも称される。
【０１７５】
本発明に関わる基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置２は、集合体としての基地局装置３
と通信することも可能である。
【０１７６】
また、上述した実施形態における基地局装置３は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であってもよいし、あるいは次世代コアネットワーク（ＮｅｘｔＧｅｎ  Ｃｏｒｅ）であってもよい。また、上述した実施形態における基地局装置３は、ｅＮｏｄｅＢに対する上位ノードの機能の一部または全部を有してもよい。
【０１７７】
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０１７８】
尚、本発明に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０１７９】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０１８０】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１８１】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１８２】
２  端末装置
３  基地局装置
２０、３０  無線送受信部
２１、３１  アンテナ部
２２、３２  ＲＦ部
２３、３３  ベースバンド部
２４、３４  上位層処理部
２５、３５  媒体アクセス制御層処理部
２６、３６  無線リソース制御層処理部
４  送受信点
【図１】
2020031254.tif 000003
【図２】
2020031254.tif 000004
【図３】
2020031254.tif 000005
【図４】
2020031254.tif 000006
【図５】
2020031254.tif 000007
【図６】
2020031254.tif 000008
【図７】
2020031254.tif 000009
【図８】
2020031254.tif 000010
【図９】
2020031254.tif 000011
【図１０】
2020031254.tif 000012
【図１１】
2020031254.tif 000013
【図１２】
2020031254.tif 000014
【図１３】
2020031254.tif 000015
【図１４】
2020031254.tif 000016
【図１５】
2020031254.tif 000017
【図１６】
2020031254.tif 000018